(57)【特許請求の範囲】
【請求項１】
操作スイッチを備えた電気的操作装置において、情報を表示するための表示部を備えており、この表示部の近傍には、前記操作スイッチが配置され、前記操作スイッチの操作により設定される情報は、前記表示部における前記操作スイッチの近傍に表示され、
前記操作スイッチは、開閉移動自在な開閉体を有する開閉装置を遠隔操作するためのものであり、
前記開閉体の移動を手動で開始させる第１モードと、前記開閉体の移動を標準設定の移動開始時刻に自動で開始させる第２モードと、前記開閉体の移動を手動設定の移動開始時刻に自動で開始させる第３モードと、があり、
前記操作スイッチは、複数個あり、これらの操作スイッチには、前記第１モードと前記第２モードと前記第３モードとのいずれかを選択するためのモード選択スイッチが含まれていることを特徴とする電気的操作装置。
【請求項２】
請求項１に記載の電気的操作装置において、前記表示部は、方形状となっており、複数個の前記操作スイッチは、前記表示部の辺部の近傍にこの辺部の長さ方向に並んで配置されており、それぞれの前記操作スイッチの操作により設定されるそれぞれの情報は、前記表示部におけるそれぞれの前記操作スイッチの近傍に表示されることを特徴とする電気的操作装置。
【請求項３】
請求項２に記載の電気的操作装置において、前記表示部に表示されるそれぞれの前記操作スイッチの操作により設定されるそれぞれの前記情報は、少なくとも文字情報からなっており、この文字情報の書字方向は、前記表示部の前記辺部の前記長さ方向と直交する方向であることを特徴とする電気的操作装置。
【請求項４】
請求項１〜３のいずれかに記載の電気的操作装置において、それぞれの前記操作スイッチの表面には、それぞれの前記操作スイッチの操作により設定されるそれぞれの前記情報の設定項目名称が印字されていることを特徴とする電気的操作装置。
【請求項５】
請求項１〜４のいずれかに記載の電気的操作装置において、前記表示部における前記モード選択スイッチの近傍には、前記移動開始時刻が表示されることを特徴とする電気的操作装置。
【請求項６】
請求項５に記載の電気的操作装置において、前記第１モードとなっている場合には、前記表示部における前記モード選択スイッチの近傍には、「ＯＦＦ」の文字列のみが表示され、前記第２モードとなっている場合には、前記表示部における前記モード選択スイッチの近傍には、「自動」の文字列と、前記移動開始時刻と、を連結した文字列が表示され、前記第３モードとなっている場合には、前記表示部における前記モード選択スイッチの近傍には、前記移動開始時刻のみが表示されることを特徴とする電気的操作装置。
【請求項７】
請求項１〜６のいずれかに記載の電気的操作装置において、少なくとも現在日付と現在時刻を計時する機能を有する計時部を備えており、複数個の前記操作スイッチのうち、１個の前記操作スイッチは、前記計時部が計時する前記現在日付と前記現在時刻を設定するための現在時刻設定スイッチであり、前記表示部における前記現在時刻設定スイッチの近傍には、前記現在時刻が表示されることを特徴とする電気的操作装置。
【請求項８】
請求項７に記載の電気的操作装置において、制御部と、記憶部と、を備えており、
前記記憶部は、地域別、月別の前記開閉体の標準設定の前記移動開始時刻の情報を予め記憶するための地域別月別開閉体標準設定移動開始時刻情報記憶手段と、前記開閉装置の設置場所が属する地域の識別情報を記憶するための開閉装置設置場所地域識別情報記憶手段と、を備えており、
前記モード選択スイッチの操作により、現在のモードが前記第２モードとなっているとき、前記制御部は、前記開閉装置設置場所地域識別情報記憶手段を参照し、取得した前記地域の前記識別情報と、前記計時部を参照し、取得した前記現在日付のうち、現在の月の情報と、に基づいて、前記地域別月別開閉体標準設定移動開始時刻情報記憶手段を参照することにより、前記開閉体の標準設定の前記移動開始時刻を取得し、前記制御部は、前記計時部を参照し、取得した前記現在時刻が、取得した標準設定の前記移動開始時刻になったと判定したとき、前記制御部は、前記開閉体の移動を開始させる制御を実行することを特徴とする電気的操作装置。
【請求項９】
請求項８に記載の電気的操作装置において、前記開閉装置の前記設置場所が属する前記地域の前記識別情報は、前記現在時刻設定スイッチの操作で設定されることを特徴とする電気的操作装置。
【請求項１０】
請求項１〜９いずれかに記載の電気的操作装置において、複数個の前記操作スイッチは、前記表示部の右辺部の近傍にこの右辺部の長さ方向である上下方向に並んで配置されており、前記表示部におけるそれぞれの前記操作スイッチの近傍に表示されるそれぞれの前記操作スイッチの操作により設定されるそれぞれの前記情報は、少なくとも文字情報からなっており、この文字情報の書字方向は、前記表示部の前記右辺部の前記長さ方向と直交する方向である左右方向であることを特徴とする電気的操作装置。
【請求項１１】
請求項１〜１０のいずれかに記載の電気的操作装置において、前記モード選択スイッチは、２個あり、一方のモード選択スイッチは、前記開閉体の開き移動についてのモード選択スイッチであり、他方のモード選択スイッチは、前記開閉体の閉じ移動についてのモード選択スイッチであり、これらのモード選択スイッチは、上下方向に並んで配置されていることを特徴とする電気的操作装置。
【請求項１２】
請求項１〜１１のいずれかに記載の電気的操作装置において、前記操作スイッチは、電源をオンにするための電源オンスイッチを兼ねていることを特徴とする電気的操作装置。
【発明の詳細な説明】
【技術分野】
【０００１】
本発明は、電気的操作装置に係り、例えば、開口部である窓を開閉するための窓用シャッター装置、開口部である車庫の出入口を開閉するための車庫用シャッター装置、開口部である出入口を開閉するための出入口用シャッター装置を含む各種のシャッター装置、オーニング装置、開き戸装置、引戸装置、オーバーヘッドドア（オーバースライディングドア）等の各種の開閉装置や、エアコン（空気調和機）、テレビ、ＤＶＤレコーダー、ブルーレイディスクレコーダー等の家庭用電気機械器具（家電製品）等に適用できるものである。
【背景技術】
【０００２】
従来より、開閉装置である電動式の窓用シャッター装置や車庫用シャッター装置は、下記の特許文献１に示されているように、例えば、操作スイッチである「開」スイッチ、「閉」スイッチ及び「停」スイッチを備えた電気的操作装置が操作されることにより開閉体であるシャッターカーテンの開閉移動や停止の作動制御が行われるようになっている。
【先行技術文献】
【特許文献】
【０００３】
【特許文献１】特開２０１４−１７９７５９号公報
【発明の概要】
【発明が解決しようとする課題】
【０００４】
ところで、電気的操作装置に対して、上述したシャッターカーテンの開閉移動や停止の作動制御機能の他に、何らかの追加機能を持たせる場合には、上述した「開」スイッチ、「閉」スイッチ及び「停」スイッチに加えて、追加機能を発揮させるためのスイッチを電気的操作装置に追加配置することになるが、この追加配置されたスイッチの操作状態や、この追加配置されたスイッチの操作により設定された設定情報等が表示される表示部を、電気的操作装置に配置することが好ましい。
【０００５】
このような場合において、電気的操作装置にスイッチと表示部をどのように配置するかは、この電気的操作装置の操作性を左右する重要な問題である。
【０００６】
このため、スイッチの他に表示部を追加配置しても、操作者が操作しやすい電気的操作装置の工夫が求められている。
【０００７】
本発明の目的は、操作者が操作しやすい電気的操作装置を提供するところにある。
【課題を解決するための手段】
【０００８】
本発明に係る電気的操作装置は、操作スイッチを備えた電気的操作装置において、情報を表示するための表示部を備えており、この表示部の近傍には、前記操作スイッチが配置され、前記操作スイッチの操作により設定される情報は、前記表示部における前記操作スイッチの近傍に表示されることを特徴とするものである。
【０００９】
本発明に係る電気的操作装置では、情報を表示するための表示部の近傍（言い換えると、周縁部）には、操作スイッチが配置されており、この操作スイッチの操作により設定される情報（設定された情報を含む）は、前記表示部における前記操作スイッチの近傍に表示されるようになっている。
【００１０】
すなわち、本発明に係る電気的操作装置では、表示部に表示される情報は、この情報の近傍に配置されている操作スイッチと対応している。言い換えると、表示部に表示される情報と、この情報の近傍に配置されている操作スイッチとは相互に関連したものとなっている。
【００１１】
これにより、電気的操作装置の操作者は、表示部に表示されている情報が、この表示部の近傍に配置されている操作スイッチにより設定された情報であることが一目で分かるようになる。言い換えると、操作スイッチの操作により設定される情報が、表示部におけるこの操作スイッチの近傍に表示されない場合と比較して、電気的操作装置の操作者は、操作スイッチにより設定された情報の確認がしやすくなる。
【００１２】
このため、本発明によると、電気的操作装置は、操作者にとって操作がしやすいものとなる。
【００１３】
本発明において、表示部に表示される情報には、例えば、操作スイッチにより設定される情報であって電気的操作装置により操作させる操作対象物を制御するための情報、電気的操作装置の動作状態を示す情報、電気的操作装置の使用方法を説明した情報（言い換えると、ヘルプ情報）等がある。
【００１４】
本発明において、電気的操作装置の表示部の形状は、方形状（例えば、長方形状や正方形状等）であってもよく、なくてもよい。
【００１５】
また、本発明において、電気的操作装置の操作スイッチの個数は、１個でもよく、複数個でもよい。
【００１６】
本発明において、上述したように、表示部の形状を方形状とするとともに、操作スイッチの個数を複数個とした場合には、例えば、これらの操作スイッチを、表示部の辺部の近傍にこの辺部の長さ方向に並んで配置するようにし、それぞれの操作スイッチの操作により設定されるそれぞれの情報は、表示部におけるそれぞれの操作スイッチの近傍に表示されるようにしてもよい。
【００１７】
これによると、電気的操作装置の寸法、すなわち、表示部の辺部の長さ方向と直交又は略直交する方向の寸法（言い換えると、左右方向の寸法である左右寸法や、上下方向の寸法である上下寸法）を小さくすることができる。
【００１８】
また、本発明において、上述したように、表示部の形状を方形状とするとともに、操作スイッチの個数を複数個とした場合には、表示部に表示されるそれぞれの操作スイッチの操作により設定されるそれぞれの情報は、少なくとも文字情報からなっているものとしてもよく、しなくてもよい（言い換えると、図形情報や画像情報のみからなっているものとしてもよい）。
【００１９】
前者の場合には、「少なくとも文字情報」とあるので、文字情報の他に、図形情報や画像情報が含まれるようにする場合が含まれる。
【００２０】
ここで、文字情報とは、漢字、ひらがな、カタカナ（全角文字でもよく、半角文字でもよい）、英数字（全角文字でもよく、半角文字でもよい）、記号（全角文字でもよく、半角文字でもよい）等からなるテキストデータ（改行やタブ等の制御文字を含む）である。
【００２１】
また、前者の場合には、文字情報の書字方向は、表示部の辺部の長さ方向と直交又は略直交する方向であることが好ましい。
【００２２】
例えば、複数個の操作スイッチを、表示部の右辺部（左辺部）の近傍にこの右辺部（左辺部）の長さ方向である上下方向に並んで配置するようにした場合には、表示部に表示されるそれぞれの操作スイッチの操作により設定されるそれぞれの情報のうち、文字情報の書字方向は、表示部の右辺部（左辺部）の長さ方向である上下方向と直交又は略直交する方向である左右方向（言い換えると、横方向）であることが好ましい。すなわち、文字情報は横書きとなっていることが好ましい。なお、文字情報の行数は、１行でもよく、複数行でもよい。後者の場合には、文字のフォントを、前者の場合よりも小さくすることが好ましい。
【００２３】
一方、複数個の操作スイッチを、表示部の下辺部（上辺部）の近傍にこの下辺部（上辺部）の長さ方向である左右方向に並んで配置するようにした場合には、表示部に表示されるそれぞれの操作スイッチの操作により設定されるそれぞれの情報のうち、文字情報の書字方向は、表示部の下辺部（上辺部）の長さ方向である左右方向と直交又は略直交する方向である上下方向（言い換えると、縦方向）であることが好ましい。すなわち、文字情報は縦書きとなっていることが好ましい。なお、文字情報の列数は、１列でもよく、複数列でもよい。後者の場合には、文字のフォントを、前者の場合よりも小さくすることが好ましい。
【００２４】
本発明において、前述したように、表示部の形状を方形状とするとともに、操作スイッチの個数を複数個とした場合には、それぞれの操作スイッチの表面には、それぞれの操作スイッチの操作により設定されるそれぞれの情報の設定項目名称を印字するようにしてもよく、しなくてもよい。
【００２５】
前者の場合によると、電気的操作装置の操作者は、表示部に現在表示される情報が何の情報なのかを、この表示部の近傍に配置されている操作スイッチに印字された設定項目名称を見れば分かるようになる。
【００２６】
ここで、それぞれの操作スイッチの表面に印字する「設定項目名称」は、文字情報からなるものでもよく、図形情報や画像情報からなるものでもよく、これらを併用したものでもよい。
【００２７】
以上の本発明において、操作スイッチの機能、用途等は任意なものでよい。
【００２８】
前述したように、操作スイッチの個数を複数個とした場合においては、複数個の操作スイッチのうち、少なくとも１個の操作スイッチを、電気的操作装置により操作される操作対象物の動作開始時刻を設定するための動作開始時刻設定スイッチとし、表示部におけるこの動作開始時刻設定スイッチの近傍には、前記動作開始時刻が表示されるようにしてもよい。
【００２９】
また、操作スイッチの個数を複数個とした場合においては、電気的操作装置には、少なくとも現在時刻を計時する機能を有する計時部を備えるようにし、複数個の操作スイッチのうち、１個の操作スイッチを、前記計時部が計時する前記現在時刻を設定するための現在時刻設定スイッチとし、表示部における前記現在時刻設定スイッチの近傍には、前記現在時刻が表示されるようにしてもよい。
【００３０】
なお、操作スイッチの個数を複数個とした場合においては、前述したように、複数個の操作スイッチを、表示部の右辺部の近傍（言い換えると、右周縁部）にこの右辺部の長さ方向である上下方向に並んで配置するようにし、表示部におけるそれぞれの操作スイッチの近傍に表示されるそれぞれの操作スイッチの操作により設定されるそれぞれの情報は、少なくとも文字情報からなるものとし、この文字情報の書字方向は、表示部の右辺部の長さ方向と直交又は略直交する方向である左右方向（言い換えると、横方向）としてもよい。
【００３１】
これは、電気的操作装置の操作者が、この電気的操作装置を左手で持ち、操作スイッチを右手の指で操作する場合に好適なものとなる。すなわち、電気的操作装置を右利き用のものとした場合に好適なものとなる。
【００３２】
これに対して、電気的操作装置を左利き用のものとする場合には、複数個の操作スイッチを、表示部の左辺部の近傍（言い換えると、左周縁部）にこの左辺部の長さ方向である上下方向に並んで配置するようにし、表示部におけるそれぞれの操作スイッチの近傍に表示されるそれぞれの操作スイッチの操作により設定されるそれぞれの情報は、少なくとも文字情報からなるものとし、この文字情報の書字方向は、表示部の左辺部の長さ方向と直交又は略直交する方向である左右方向（言い換えると、横方向）とすればよい。
【００３３】
なお、電気的操作装置を右利き左利き兼用のものとする場合には、複数個の操作スイッチを、表示部の右辺部の近傍（言い換えると、右周縁部）にこの右辺部の長さ方向である上下方向に並んで配置するとともに、表示部の左辺部の近傍（言い換えると、左周縁部）にも、この左辺部の長さ方向である上下方向に並んで配置するようにしてもよい。
【００３４】
すなわち、表示部の右周縁部と左周縁部のそれぞれに、同じ機能、用途を有する操作スイッチを左右対称に配置するようにしてもよい。
【００３５】
なお、操作スイッチは、表示部の下辺部の近傍（言い換えると、下周縁部）にも配置するものとした場合において、この操作スイッチの機能、用途等も任意なものでよい。
【００３６】
操作スイッチを、上述したように、表示部の下周縁部にも配置するようにした場合において、この表示部の下周縁部に配置した操作スイッチの下側には、操作対象物の動作を開始させるための動作開始スイッチと、前記操作対象物の前記動作を停止させるための動作停止スイッチと、を、上下方向又は左右方向に並んで配置するようにしてもよく、しなくてもよい。
【００３７】
以上の本発明において、操作スイッチは、電気的操作装置の電源をオン及び／又はオフにするための電源オンスイッチを兼ねたものとしてもよく、しなくてもよい。
【００３８】
前者の場合によると、電気的操作装置に配置する操作スイッチの個数を、後者の場合と比較して、少なくすることができる。
【００３９】
なお、オンとなっている電気的操作装置の電源は、操作スイッチの操作が一定時間無かったときに自動的にオフとなるようにしてもよい。
【００４０】
以上の本発明において、操作スイッチは、例えば、開閉移動自在な開閉体を有する開閉装置を遠隔操作するためのものとなっていてもよく、エアコン（空気調和機）、テレビ、ＤＶＤレコーダー、ブルーレイディスクレコーダー等の家庭用電気機械器具（家電製品）を遠隔操作するためのものとなっていてもよい。
【００４１】
このように、電気的操作装置により操作される対象物の例として、開閉移動自在な開閉体を有する開閉装置、エアコン（空気調和機）、テレビ、ＤＶＤレコーダー、ブルーレイディスクレコーダー等の家庭用電気機械器具（家電製品）等を挙げることができる。
【００４２】
すなわち、本発明に係る電気的操作装置は、任意の電気機器が用いられて構成された装置や機械を電気的に操作するためのものでよく、操作対象物となっているこれらの装置や機械の例としては、上述した開閉装置、エアコン、テレビ、ＤＶＤレコーダー、ブルーレイディスクレコーダー等の家庭用電気機械器具等がある。
【００４３】
ここで、開閉装置とは、開口部である窓を開閉するための窓用シャッター装置、開口部である車庫の出入口を開閉するための車庫用シャッター装置、開口部である窓を開閉するための窓用シャッター装置、開口部である出入口を開閉するための出入口用シャッター装置を含む各種のシャッター装置、オーニング装置、開き戸装置、引戸装置、オーバーヘッドドア（オーバースライディングドア）等であって、開閉体が駆動装置の駆動力で開閉する電動式のものをいう。
【００４４】
なお、以上の本発明において、操作スイッチの形式、構造は、任意なものでよく、この操作スイッチは、例えば、シーソー式スイッチとなっていてもよく、エンボス型のメンブレンスイッチ（言い換えると、シートスイッチ）となっていてもよい。
【００４５】
また、操作スイッチを複数個配置するようにした場合には、これらの操作スイッチは、上述したシーソー式スイッチと、エンボス型のメンブレンスイッチと、を混在させたものとなっていてもよい。
【００４６】
なお、以上の本発明において、電気的操作装置は、操作対象物を、有線式で（言い換えると、有線通信により）操作するものであってもよく、無線式で（言い換えると、無線通信により）操作するものであってもよい。
【発明の効果】
【００４７】
本発明によると、操作者が電気的操作装置の操作をしやすくなるという効果を得られる。
【図面の簡単な説明】
【００４８】
【図１】図１は、本発明の第１の実施形態に係るシャッターカーテン制御装置が適用されている電動式の窓用シャッター装置の全体を示す正面図である。
【図２】図２は、本発明の第１の実施形態に係るシャッターカーテン制御装置の構成図である。
【図３】図３は、図２の電気的操作装置である遠隔操作装置の正面図であって、電源が投入されていない状態を示す図である。
【図４】図４は、遠隔操作装置の記憶部に備えられている各記憶手段に記憶されている情報の一例を示す図である。
【図５】図５は、地域別月別開閉体標準設定移動開始時刻情報記憶手段である地域別月別シャッターカーテン標準設定移動開始時刻情報ファイルに記憶されている全データを一覧表化して示した図である。
【図６】図６は、図２の遠隔操作装置の正面図であって、電源が投入されている状態を示す図である。
【図７】図７は、図２〜図３に示されている遠隔操作装置の表示部である液晶ディスプレイ及び第１操作部の拡大図であって、操作スイッチである「現在時刻」スイッチを長押しすることにより、現在時刻の設定を行うときの最初の状態を示す図である。
【図８】図８は、図７に示す現在日付、現在時刻の設定が終了し、シャッター装置の設置場所が属する地域（現在地）の設定を行うときを示す図７と同様の図である。
【図９】図９は、操作スイッチである「あけ時刻」スイッチを長押しすることにより、開き移動開始時刻の設定を行うときの最初の状態を示す図７と同様の図である。
【図１０】図１０は、「あけ時刻」スイッチを短押しすることにより、開き移動の開始モードの切り替えを行っているときを示す図７と同様の図であり、現在の開始モードが、開き移動の開始を手動設定の時刻に自動で開始するモードとなっている（未確定状態）ときを示す図である。
【図１１】図１１は、「あけ時刻」スイッチを短押しすることにより、開き移動の開始モードの切り替えを行っているときを示す図７と同様の図であり、現在の開始モードが、開き移動の開始を手動で開始するモードとなっている（未確定状態）ときを示す図である。
【図１２】図１２は、「あけ時刻」スイッチを短押しすることにより、開き移動の開始モードの切り替えを行っているときを示す図７と同様の図であり、現在の開始モードが、開き移動の開始を標準設定の時刻に自動で開始するモードとなっている（未確定状態）ときを示す図である。
【図１３】図１３は、図１２で示されている状態において操作スイッチである「決定」スイッチが押下されることにより、開き移動の開始モードが、開き移動の開始を標準設定の時刻に自動で開始するモードとなっている（確定状態）ときを示す図７と同様の図である。
【図１４】図１４は、図１３で示されている状態の後、閉じ移動の開始モードが、閉じ移動の開始を手動設定の時刻に自動で開始するモードとなっている（確定状態）ときを示す図７と同様の図である。
【図１５】図１５は、遠隔操作装置を、右利きの利用者が左手で保持している状態を示す図である。
【図１６】図１６は、図１５に示す遠隔操作装置を、利用者が右手の人差し指で操作しているときを示す図である。
【図１７】図１７は、遠隔操作装置の別実施形態を示す図であって、液晶ディスプレイに操作方法のヘルプ情報を表示させるための操作スイッチであるＨＥＬＰスイッチが備えられた実施形態を示す図７と同様の図である。
【図１８】図１８は、図１７の状態において、「ＨＥＬＰ」スイッチを押下したときを示す図である。
【図１９】図１９は、遠隔操作装置のさらなる別実施形態を示す図であって、「あけ時刻」スイッチと操作スイッチである「しめ時刻」スイッチに印字（刻印）された文字情報が図形情報となっている遠隔操作装置を示す図７と同様の図である。
【図２０】図２０は、遠隔操作装置のまたさらなる別実施形態を示す図であって、左利きの利用者用の遠隔操作装置を示す図７と同様の図である。
【図２１】図２１は、本発明の第２の実施形態に係るシャッターカーテン制御装置の構成図を示す図２と同様の図である。
【図２２】図２２は、本発明の第３の実施形態に係るシャッターカーテン制御装置の構成図を示す図２と同様の図である。
【図２３】図２３は、本発明の第４の実施形態に係るシャッターカーテン制御装置の構成図を示す図２と同様の図である。
【発明を実施するための形態】
【００４９】
以下に本発明を実施するための形態を図面に基づいて説明する。本実施形態に係る開閉体制御装置は、図１で示す開閉装置である電動式の窓用シャッター装置の開閉体であるシャッターカーテンを制御するためのシャッターカーテン制御装置であり、はじめにこの窓用シャッター装置について説明する。窓用シャッター装置は、住宅の窓１の左右の枠部材に配設されたガイドレール２に左右両端部が上下にスライド自在に挿入されたシャッターカーテン３を有し、このシャッターカーテン３の上端は、窓１の上部に配置されたシャッターケース４の内部に水平に収納されている巻取軸５に連結され、この巻取軸５は左右のブラケット６で回転自在に支持されている。一方のブラケット６には、巻取軸５を駆動させる（間接的には、シャッターカーテン３を駆動させる）ための駆動装置となっている開閉機７が取り付けられ、後述する図２に示されている電動モータ１２とブレーキ１３の組み合わせからなるこの開閉機７と巻取軸５は、チェーン等の駆動力伝達手段で連結されており、開閉機７の電動モータ１２の正逆回転により、シャッターカーテン３は、巻取軸５の巻き取りによる開き移動と、巻取軸５からの繰り出しによる閉じ移動とを左右のガイドレール２で案内されながら行い、また、電動モータ１２がブレーキ１３により停止すると、シャッターカーテン３の移動が停止する。
【００５０】
図２には、本実施形態（言い換えると、第１の実施形態）に係るシャッターカーテン制御装置の構成図が示されている。
【００５１】
この図２に示されているように、本実施形態に係るシャッターカーテン制御装置は、電動式の窓用シャッター装置を遠隔で操作するための無線式の遠隔操作装置８（図１も参照）と、この遠隔操作装置８から送信された制御信号の受信制御を実行するための被遠隔操作装置１１（図１も参照）と、この被遠隔操作装置１１からの制御信号が伝達されるとともに、開閉機７の駆動制御を実行するための制御装置１０（図１も参照）と、を含んで構成されている。
【００５２】
本実施形態に係る電気的操作装置となっている遠隔操作装置（言い換えると、リモコン送信機）８は、図２に示されているように、この遠隔操作装置８の動作制御を行うための制御ソフトウェアやデータを記憶するための記憶部２２と、この記憶部２２に記憶されている制御ソフトウェアを実行するためのマイクロコンピュータ等で構成される制御部２１と、少なくとも現在日付、現在時刻を計時する機能（言い換えると、時計の機能）を有する計時部２３と、記憶部２２に記憶されているデータや、この遠隔操作装置８の動作状態等の情報を表示するための方形状となっている表示部２４と、この遠隔操作装置８の動作状態を外部に報知するための報知部２５と、図１に示す窓用シャッター装置を遠隔で操作するための操作部である第１操作部２６、第２操作部２７及び第３操作部２８と、被遠隔操作装置１１へ制御信号を送信するための内部アンテナ３０を有する送信部２９と、含んで構成されている。
【００５３】
なお、この遠隔操作装置８には、図示されないボタン型の電池（バッテリ）が内蔵されており、この電池から供給される電力で遠隔操作装置８が駆動するものとなっている。
【００５４】
また、被遠隔操作装置（言い換えると、リモコン受信機）１１は、図２に示されているように、遠隔操作装置８から送信された制御信号を受信するための外部アンテナ３５を有する受信部３６と、この被遠隔操作装置１１の動作制御を実行するためのマイクロコンピュータ等で構成される制御部３７と、この被遠隔操作装置１１の動作制御を行うための制御ソフトウェアやデータを記憶するための記憶部３８と、を含んで構成されている。
【００５５】
また、制御装置（言い換えると、シャッター制御盤）１０は、図２に示されているように、この制御装置１０の動作制御を実行するためのマイクロコンピュータ等で構成される制御部３２と、この制御装置１０の動作制御を行うための制御ソフトウェアやデータを記憶するための記憶部３３と、を含んで構成されている。
【００５６】
図１に示されているように、シャッターケース４の内部において、被遠隔操作装置１１とともに、開閉機７に隣接して配置されている制御装置１０は、遠隔操作装置８から送信される無線式の制御信号に基づいて、開閉機７を電気的に制御するものとなっている。
【００５７】
なお、本実施形態では、遠隔操作装置８は、図１に示されているように、住宅の室内の壁に取り付けられている上向きに開口したポケット形状のホルダー（言い換えると、保持体）９に、着脱自在に収納保持されるようになっている。
【００５８】
図３には、電源が投入される前の遠隔操作装置８の全体正面図が示されている。前述した図２に示されているこの遠隔操作装置８の各構成部品や図示されない電池等が内部に収納されている遠隔操作装置８のケースは、それぞれ合成樹脂製である前側ケース片８Ａと、図示されない後側ケース片と、をビス止めにより、ゴム材等の弾性材によって防滴性（防水性）、防塵性を備えさせて前後に合体させることにより形成されている。
【００５９】
この図３に示されているように、前側ケース片８Ａの下半分には、シャッターカーテン３の開き移動を開始させるための「開」スイッチである「あける」スイッチ２７Ａと、シャッターカーテン３の開閉移動を停止させるための「停」スイッチである「とまる」スイッチ２７Ｂと、シャッターカーテン３の閉じ移動を開始させるための「閉」スイッチである「しめる」スイッチ２７Ｃと、を突出状態で露出させるための開口部又は窪み部が形成されている。本実施形態では、上下方向に並んで配置されている操作スイッチであるこれらのスイッチ２７Ａ，２７Ｂ，２７Ｃが、シャッター装置のシャッターカーテン３の移動、停止操作を行うための遠隔操作装置８の第２操作部２７を構成するものとなっている。
【００６０】
なお、本実施形態では、「あける」スイッチ２７Ａと「しめる」スイッチ２７Ｃは、操作対象物である窓用シャッター装置のシャッターカーテン３の動作（開き移動と閉じ移動）を開始させるための動作開始スイッチとなっており、「とまる」スイッチ２７Ｂは、シャッターカーテン３の動作を停止させるための動作停止スイッチとなっている。
【００６１】
また、前側ケース片８Ａの上端部の下側の部分には、小開口部８Ｂが形成されている。この小開口部８Ｂからは、遠隔操作装置８の上記ケースの内部に収納されているランプが露出しており、このランプは、シーソー式スイッチとなっている上述したスイッチ２７Ａ，２７Ｂ，２７Ｃが操作されたとき、遠隔操作装置８から被遠隔操作装置１１へ無線式の制御信号が送信されたことを点灯により示すためのものである。
【００６２】
一方、図３に示されているように、前側ケース片８Ａの上半分には、遠隔操作装置８の計時部２３の現在日付や現在時刻、さらには、図１に示す窓用シャッター装置の設置場所（言い換えると、現在位置）が属する地域を設定するための「現在時刻」スイッチ２６Ａと、シャッターカーテン３の開き移動を自動で開始させる時刻、すなわち、シャッターカーテン３の開き移動開始時刻を設定するための「あけ時刻」スイッチ２６Ｂと、シャッターカーテン３の開き移動を自動で開始させる時刻、すなわち、シャッターカーテン３の開き移動開始時刻を設定するための「あけ時刻」スイッチ２６Ｂと、設定中の上述した日付や時刻、地域を前後させるための「＋」スイッチ２６Ｅ及び「−」スイッチ２６Ｆと、エンボス型のメンブレンスイッチ（言い換えると、シートスイッチ）となっているこれらのスイッチ２６Ａ，２６Ｂ，２６Ｃ，２６Ｅ，２６Ｆの操作により設定された上述した日付や時刻、地域の情報を、遠隔操作装置８の記憶部２２に記憶させる（言い換えると、登録、更新する）ための「決定」スイッチ２６Ｄと、この遠隔操作装置８の記憶部２２に記憶されている上述した日付や時刻、地域の情報、操作スイッチである上述したスイッチ２６Ａ，２６Ｂ，２６Ｃ，２６Ｄ，２６Ｅ，２６Ｆの操作による設定中の上述した日付や時刻、地域の情報、遠隔操作装置８の動作状態等を表示（言い換えると、出力）するための液晶ディスプレイ（ＬＣＤ）２４と、がフラット形状で一体となったものを露出させるための開口部又は窪み部が形成されている。
【００６３】
本実施形態では、長方形状となっている液晶ディスプレイ２４が、遠隔操作装置８の表示部２４となっており、「現在時刻」スイッチ２６Ａ、「あけ時刻」スイッチ２６Ｂ、「しめ時刻」スイッチ２６Ｃ、「＋」スイッチ２６Ｅ、「−」スイッチ２６Ｆ及び「決定」スイッチ２６Ｄが、遠隔操作装置８の第１操作部２６を構成するものとなっている。そして、「現在時刻」スイッチ２６Ａは、遠隔操作装置８の計時部２３が計時する現在時刻を設定するための本実施形態に係る現在時刻設定スイッチとなっており、「あけ時刻」スイッチ２６Ｂと「しめ時刻」スイッチ２６Ｃは、操作対象物である窓用シャッター装置のシャッターカーテン３の動作開始時刻（開き移動開始時刻と閉じ移動開始時刻）を設定するための本実施形態に係る動作開始時刻設定スイッチとなっている。
【００６４】
また、図３に示されているように、前側ケース片８Ａのうち、「しめる」スイッチ２７Ｃの下側に設けられている凹部８Ｃには、蓋部材３１が、着脱自在に、具体的には、上下にスライド可能に配置されている。遠隔操作装置８のケースの内部における蓋部材３１の真下又はその近傍には、遠隔操作装置８の前述した電池が収納されており、電池カバーとなっているこの蓋部材３１を下側へスライドさせて前側ケース片８Ａから取り外すことにより、内蔵電池の交換が可能となっている。
【００６５】
図示されていないが、遠隔操作装置８の後側ケース片には、この遠隔操作装置８についての仕様を表示するための製品ラベルが貼付されている。さらに、後側ケース片には、前述したケースの内部に収納されている遠隔操作装置８の報知部２５により発生される電気的な音を外部に放出させるための第１小開口部と、遠隔操作装置８を被遠隔操作装置１１に追加登録するための図示されない登録スイッチを外部に露出させるための第２小開口部とが形成されている。なお、前側ケース片８Ａにも、上述した第１小開口部と第２小開口部とを形成するようにしてもよい。
【００６６】
本実施形態では、遠隔操作装置８の上記登録スイッチを操作することで、この遠隔操作装置８を識別するための識別情報が、被遠隔操作装置１１の制御部３７により、この被遠隔操作装置１１の記憶部３８に記憶されることになる。すなわち、本実施形態では、遠隔操作装置８の上記登録スイッチは、遠隔操作装置８から送信される無線式の信号である制御信号を、制御装置１０で処理できるように、遠隔操作装置８と被遠隔操作装置１１及び制御装置１０との間でペアリングするためのものであって、図２で示されている遠隔操作装置８の第３操作部２８となっている。
【００６７】
本実施形態では、遠隔操作装置８の報知部２５は、前述した「あける」スイッチ２７Ａ、「とまる」スイッチ２７Ｂ、「しめる」スイッチ２７Ｃが操作されたときにブザー音を発生（言い換えると、鳴動）させるものであって、このブザー音の発生回数により、これらのスイッチ２７Ａ，２７Ｂ，２７Ｃの操作の区別がされるものである。なお、報知部２５は、上述したブザー音に限らず、例えば、スイッチ２７Ａ，２７Ｂ，２７Ｃの操作の区別を擬人化された音声、すなわち、人工音声を発生するものでもよい。
【００６８】
前述したように、遠隔操作装置８の記憶部２２には、この遠隔操作装置８の動作制御を行うための制御ソフトウェアやデータが記憶されるものであるが、図４には、この記憶部２２に、工場等において予め設定、記憶されているマスターデータと、窓用シャッター装置の設置場所において利用者（あるいは、窓用シャッター装置の施工担当者）による遠隔操作装置８の操作で設定、記憶されるトランザクションデータの一例が示されている。
【００６９】
図４（Ａ）には、窓用シャッター装置のシャッターカーテン３の開き移動を朝方に自動で開始させたいときに、このシャッターカーテン３の開き移動を開始させる時刻の目安となる開き移動開始時刻と、シャッターカーテン３の閉じ移動を夕方に自動で開始させたいときに、このシャッターカーテン３の閉じ移動を開始させる時刻の目安となる閉じ移動開始時刻と、を地域別月別に予め設定、記憶するための本実施形態に係る地域別月別開閉体標準設定移動開始時刻情報記憶手段である地域別月別シャッターカーテン標準設定移動開始時刻情報ファイル６１のレコードの一例が示されている。
【００７０】
この図４（Ａ）に示されているように、マスターデータとなっている地域別月別シャッターカーテン標準設定移動開始時刻情報ファイル６１のデータ項目には、地域の識別情報である「地域コード」と、月の情報である「月」と、開き移動開始時刻の情報である「開き移動開始時刻」と、閉じ移動開始時刻の情報である「閉じ移動開始時刻」と、が含まれている。
【００７１】
一方、図４（Ｂ）には、上述した図４（Ａ）の地域別月別シャッターカーテン標準設定移動開始時刻情報ファイルのデータ項目「地域コード」と対応する地域名称の情報を地域の識別情報と関連付けて記憶するための地域情報記憶手段である地域情報マスター６２のレコードの一例が示されている。
【００７２】
この図４（Ｂ）に示されているように、マスターデータとなっている地域情報マスター６２のデータ項目には、地域別月別シャッターカーテン標準設定移動開始時刻情報ファイル６１と同様に、地域の識別情報である「地域コード」と、地域名称の情報である「地域名」と、が含まれている。
【００７３】
このため、図４（Ａ）に示されている地域別月別シャッターカーテン標準設定移動開始時刻情報ファイル６１の最初のレコード（言い換えると、１行目のレコード）には、地域が「北海道」であって、１月（１月１日〜１月３１日まで）の開き移動開始時刻が「７時１１分」、閉じ移動開始時刻が「１６時１１分」という情報が記憶されていることになる。
【００７４】
したがって、本実施形態では、地域別月別シャッターカーテン標準設定移動開始時刻情報ファイル６１には、地域コードが「０１」の地域である「北海道」から、地域コードが「０８」の地域である「沖縄」までの８つの地域のそれぞれに対して、１２カ月分の開き移動開始時刻情報と閉じ移動開始時刻の情報のレコードが存在することになる。
【００７５】
本実施形態では、地域別月別シャッターカーテン標準設定移動開始時刻情報ファイル６１に予め設定、記憶されている標準設定の開き移動開始時刻、閉じ移動開始時刻は、地域別月別の日の出の時刻、日の入りの時刻と同じとなっている。
【００７６】
なお、地域別月別シャッターカーテン標準設定移動開始時刻情報ファイル６１と地域情報マスター６２の情報は、予め工場において、窓用シャッター装置の施工担当者等により設定、記憶（言い換えると、登録）されるものである。
【００７７】
なお、本実施形態に係る地域別月別シャッターカーテン標準設定移動開始時刻情報ファイル６１に記憶されている全レコードの情報を一覧表化したものを図５に示す。この図５３において、一覧表の列名「開時刻」は、地域別月別シャッターカーテン標準設定移動開始時刻情報ファイル６１のデータ項目「開き移動開始時刻」と同義であり、一覧表の列名「閉時刻」は、地域別月別シャッターカーテン標準設定移動開始時刻情報ファイル６１のデータ項目「閉じ移動開始時刻」と同義である。
【００７８】
図４（Ｃ）には、窓用シャッター装置の設置場所が属する地域の識別情報を記憶するための本実施形態に係る開閉装置設置場所地域識別情報記憶手段であるシャッター装置設置場所地域識別情報ファイル６３地域のレコードの一例が示されている。
【００７９】
この図４（Ｃ）に示されているように、トランザクションデータとなっているシャッター装置設置場所地域識別情報ファイル６３のデータ項目には、地域の識別情報である「地域コード」が含まれている。
【００８０】
この図４（Ｃ）に示されているシャッター装置設置場所地域識別情報ファイル６３のレコードの情報は、窓用シャッター装置が設置されている場所が属する地域が、地域コードが「０３」の地域である「関東」であることを意味している。言い換えると、この図４（Ｃ）に示されているシャッター装置設置場所地域識別情報ファイル６３のレコードには、窓用シャッター装置が設置されている場所が属する地域である「関東」の地域コード「０３」という情報が記憶されている。
【００８１】
なお、この図４（Ｃ）に示されているように、シャッター装置設置場所地域識別情報ファイル６３のレコード件数は１件である。
【００８２】
なお、このシャッター装置設置場所地域識別情報ファイル６３の情報は、窓用シャッター装置の設置場所において、利用者（あるいは、窓用シャッター装置の施工担当者）による遠隔操作装置８の後述の操作で設定、記憶されるものである。
【００８３】
図４（Ｄ）には、窓用シャッター装置の利用者が、この窓用シャッター装置のシャッターカーテン３の開き移動を自動で開始させる時刻及び／又はシャッターカーテン３の閉じ移動を自動で開始させる時刻を、手動で自由に設定したい場合に、窓用シャッター装置の利用者が手動で自由に設定したシャッターカーテン３の開き移動開始時刻及び／又は閉じ移動開始時刻を記憶するための本実施形態に係る開閉体手動設定移動開始時刻情報記憶手段であるシャッターカーテン手動設定移動開始時刻情報ファイル６４のレコードの一例が示されている。
【００８４】
この図４（Ｄ）に示されているように、トランザクションデータとなっているシャッターカーテン手動設定移動開始時刻情報ファイル６４のデータ項目には、シャッターカーテン３の開き移動開始時刻の情報である「開き移動開始時刻」と、閉じ移動開始時刻の情報である「閉じ移動開始時刻」と、が含まれている。
【００８５】
この図４（Ｄ）に示されているシャッターカーテン手動設定移動開始時刻情報ファイル６４のレコードの情報は、シャッターカーテン３の開き移動を自動で開始させる時刻を、利用者が独自に手動設定した「５時３０分」とすることができ、シャッターカーテン３の閉じ移動を自動で開始させる時刻を、利用者が独自に手動設定した「１８時００分」とすることができることを意味している。
【００８６】
すなわち、窓用シャッター装置の利用者は、図４（Ａ）に示されている地域別月別シャッターカーテン標準設定移動開始時刻情報ファイル６１に記憶されている標準設定（言い換えると、自動設定）の移動開始時刻ではなく、この利用者が手動で自由に設定した移動開始時刻に、シャッターカーテン３の移動を自動で開始させることができるということである。
【００８７】
なお、この図４（Ｄ）に示されているように、シャッターカーテン手動設定移動開始時刻情報ファイル６４のレコード件数は１件である。
【００８８】
なお、このシャッターカーテン手動設定移動開始時刻情報ファイル６４の情報は、図４（Ｃ）に示されているシャッター装置設置場所地域識別情報ファイル６３の情報と同様に、窓用シャッター装置の設置場所において、利用者（あるいは、窓用シャッター装置の施工担当者）による後述の遠隔操作装置８の操作で設定、記憶されるものである。
【００８９】
図４（Ｅ）には、シャッターカーテン３の移動を、地域別月別シャッターカーテン標準設定移動開始時刻情報ファイル６１に記憶されている標準設定の移動開始時刻に自動で開始させるモード、シャッターカーテン３の移動を、シャッターカーテン手動設定移動開始時刻情報ファイル６４に記憶されている手動設定の移動開始時刻に自動で開始させるモード、シャッターカーテン３の移動を手動で開始させるモード、のいずれかのモードの情報を記憶するための本実施形態に係る開閉体移動開始モード情報記憶手段であるシャッターカーテン移動開始モード情報ファイル６５のレコードの一例が示されている。
【００９０】
この図４（Ｅ）に示されているように、トランザクションデータとなっているシャッターカーテン移動開始モード情報ファイル６５のデータ項目には、シャッターカーテン３の開き移動開始モードの情報である「開き移動開始モード」と、閉じ移動開始モードの情報である「閉じ移動開始モード」と、が含まれている。
【００９１】
この「開き移動開始モード」と「閉じ移動開始モード」には、「０」と「１」と「２」とがあり、「０」は、シャッターカーテン３の移動を手動で開始させるモード、「１」は、シャッターカーテン３の移動を、地域別月別シャッターカーテン標準設定移動開始時刻情報ファイル６１に記憶されている標準設定の移動開始時刻に自動で開始させるモード、「２」は、シャッターカーテン３の移動を、シャッターカーテン手動設定移動開始時刻情報ファイル６４に記憶されている手動設定の移動開始時刻に自動で開始させるモードを意味している。
【００９２】
この図４（Ｅ）に示されているシャッターカーテン移動開始モード情報ファイル６５のレコードの情報は、「開き移動開始モード」が「１」となっており、「閉じ移動開始モード」が「０」となっている。これによると、シャッターカーテン３の開き移動は、地域別月別シャッターカーテン標準設定移動開始時刻情報ファイル６１に記憶されている標準設定の移動開始時刻に自動で開始され、シャッターカーテン３の閉じ移動は、手動で開始されることになる。
【００９３】
なお、この図４（Ｅ）に示されているように、シャッターカーテン移動開始モード情報ファイル６５のレコード件数は１件である。
【００９４】
なお、このシャッターカーテン移動開始モード情報ファイル６５の情報は、図４（Ｃ）に示されているシャッター装置設置場所地域識別情報ファイル６３の情報や、図４（Ｄ）に示されているシャッターカーテン手動設定移動開始時刻情報ファイル６４の情報と同様に、窓用シャッター装置の設置場所において、利用者（あるいは、窓用シャッター装置の施工担当者）による後述の遠隔操作装置８の操作で設定、記憶されるものである。
【００９５】
次に、遠隔操作装置８の操作方法について説明する。
【００９６】
図３で示されている電源が投入される前の遠隔操作装置８の「現在時刻」スイッチ２６Ａと、「あけ時刻」スイッチ２６Ｂと、「しめ時刻」スイッチ２６Ｃと、「決定」スイッチ２６Ｄと、「＋」スイッチ２６Ｅと、「−」スイッチ２６Ｆのいずれかが操作されると、この遠隔操作装置８の制御部２１に電源が投入されて、この制御部２１による記憶部２２に記憶されている制御ソフトウェアの起動処理が行われる。
【００９７】
このように、本実施形態では、遠隔操作装置８のこれら６個のスイッチ２６Ａ，２６Ｂ，２６Ｃ，２６Ｄ，２６Ｅ，２６Ｆは、電源スイッチの機能も有している。すなわち、本実施形態では、電気的操作装置である遠隔操作装置８の操作スイッチとなっているこれら６個のスイッチ２６Ａ，２６Ｂ，２６Ｃ，２６Ｄ，２６Ｅ，２６Ｆは、遠隔操作装置８の電源をオンにするための電源オンスイッチを兼ねたものとなっている。
【００９８】
図６には、電源が投入された後の遠隔操作装置８の全体正面図が示されている。
【００９９】
この図６に示されているように、遠隔操作装置８の表示部２４である液晶ディスプレイ２４における「現在時刻」スイッチ２６Ａの左横側の部分２４Ａ（言い換えると、液晶ディスプレイ２４の１行目の部分２４Ａ）には、「１０：０６」が表示されており、これは、遠隔操作装置８の計時部２３の現在時刻が「午前１０時０６分」であること示している。なお、この現在時刻の情報は、制御部２１が計時部２３の現在時刻の情報を随時参照、取得したものである。
【０１００】
また、液晶ディスプレイ２４における「あけ時刻」スイッチ２６Ｂの左横側の部分２４Ｂ（言い換えると、液晶ディスプレイ２４の２行目の部分２４Ｂ）には、「ＯＦＦ」が表示されており、これは、シャッターカーテン３の開き移動が自動で開始されるモードにはなっていないことを示している。すなわち、シャッターカーテン３の開き移動は、窓用シャッター装置の利用者による遠隔操作装置８の「あける」スイッチ２７Ａの操作により行われるものとなっていることを示している。
【０１０１】
さらに、液晶ディスプレイ２４における「しめ時刻」スイッチ２６Ｃの左横側の部分２４Ｃ（言い換えると、液晶ディスプレイ２４の３行目の部分２４Ｃ）には、「ＯＦＦ」が表示されており、これは、シャッターカーテン３の開き移動が自動で開始されるモードにはなっていないことを示している。すなわち、シャッターカーテン３の開き移動は、窓用シャッター装置の利用者による遠隔操作装置８の「あける」スイッチ２７Ａの操作により行われるものとなっている。
【０１０２】
なお、液晶ディスプレイ２４の２行目の部分２４Ｂに表示される情報は、図４（Ｅ）に示されているシャッターカーテン移動開始モード情報ファイル６５に記憶されているレコードのデータ項目「開き移動開始モード」の情報と、図２に示されている遠隔操作装置８の計時部２３の現在日付の情報のうち、（現在の）月の情報と、図４（Ｃ）に示されているシャッター装置設置場所地域識別情報ファイル６３のレコードのデータ項目「地域コード」の情報と、図４（Ａ）に示されている地域別月別シャッターカーテン標準設定移動開始時刻情報ファイル６１のレコードのデータ項目「地域コード」の情報と、データ項目「月」の情報と、データ項目「開き移動開始時刻」の情報と、図４（Ｄ）に示されているシャッターカーテン手動設定移動開始時刻情報ファイル６４のレコードのデータ項目「開き移動開始時刻」の情報と、に基づいて、制御部２１により実行される記憶部２２の制御ソフトウェアよって生成されるものである。
【０１０３】
すなわち、シャッターカーテン移動開始モード情報ファイル６５に記憶されているレコードのデータ項目「開き移動開始モード」の情報が「０」である場合には、「ＯＦＦ」の文字列が液晶ディスプレイ２４の２行目の部分２４Ｂに表示される処理が、制御部２１により実行されることになる。
【０１０４】
シャッターカーテン移動開始モード情報ファイル６５に記憶されているレコードのデータ項目「開き移動開始モード」の情報が「１」である場合には、まず、計時部２３の現在月の情報と、シャッター装置設置場所地域識別情報ファイル６３のレコードのデータ項目「地域コード」の情報と、で地域別月別シャッターカーテン標準設定移動開始時刻情報ファイル６１を参照し、該当するレコードのデータ項目「開き移動開始時刻」の情報を取得する処理が、制御部２１により実行される。この後、「自動」の文字列と、取得した「開き移動開始時刻」の情報と、を連結した文字列が液晶ディスプレイ２４の２行目の部分２４Ｂに表示される処理が、制御部２１により実行されることになる。
【０１０５】
例えば、計時部２３の現在日付の情報のうち、月の情報が「０２」であって、シャッター装置設置場所地域識別情報ファイル６３のレコードのデータ項目「地域コード」の情報が「０３」（関東）である場合には、まず、域別月別シャッターカーテン標準設定移動開始時刻情報ファイル６１のレコードのうち、データ項目「地域コード」の情報が「０３」であって、データ項目「月」の情報が「０２」であるレコードを参照、取得する処理が、制御部２１により実行される。この後、「自動」の文字列と、取得したレコードのデータ項目「開き移動開始時刻」の情報「０６３３」（図５参照）を編集した「０６：３３」と、を連結した文字列「自動０６：３３」が液晶ディスプレイ２４の２行目の部分２４Ｂに表示される処理が、制御部２１により実行されることになる。
【０１０６】
シャッターカーテン移動開始モード情報ファイル６５に記憶されているレコードのデータ項目「開き移動開始モード」の情報が「２」である場合には、シャッターカーテン手動設定移動開始時刻情報ファイル６４のレコードのデータ項目「開き移動開始時刻」の情報（図４で示されているデータ例では、文字列「０５：３０」）が液晶ディスプレイ２４の２行目の部分２４Ｂに表示される処理が、制御部２１により実行されることになる。
【０１０７】
一方、液晶ディスプレイ２４の３行目の部分２４Ｃに表示される情報も、上述した液晶ディスプレイ２４の２行目の部分２４Ｂに表示される情報と同様に、シャッターカーテン移動開始モード情報ファイル６５に記憶されているレコードのデータ項目「閉じ移動開始モード」の情報と、遠隔操作装置８の計時部２３の現在日付の情報のうち、（現在の）月の情報と、シャッター装置設置場所地域識別情報ファイル６３のレコードのデータ項目「地域コード」の情報と、地域別月別シャッターカーテン標準設定移動開始時刻情報ファイル６１のレコードのデータ項目「地域コード」の情報と、データ項目「月」の情報と、データ項目「閉じ移動開始時刻」の情報と、シャッターカーテン手動設定移動開始時刻情報ファイル６４のレコードのデータ項目「閉じ移動開始時刻」の情報と、に基づいて、制御部２１により実行される記憶部２２の制御ソフトウェアよって生成されるものである。
【０１０８】
すなわち、シャッターカーテン移動開始モード情報ファイル６５に記憶されているレコードのデータ項目「閉じ移動開始モード」の情報が「０」である場合には、「ＯＦＦ」の文字列が液晶ディスプレイ２４の３行目の部分２４Ｃに表示される処理が、制御部２１により実行されることになる。
【０１０９】
シャッターカーテン移動開始モード情報ファイル６５に記憶されているレコードのデータ項目「閉じ移動開始モード」の情報が「１」である場合には、まず、計時部２３の現在月の情報と、シャッター装置設置場所地域識別情報ファイル６３のレコードのデータ項目「地域コード」の情報と、で地域別月別シャッターカーテン標準設定移動開始時刻情報ファイル６１を参照し、該当するレコードのデータ項目「閉じ移動開始時刻」の情報を取得する処理が、制御部２１により実行される。この後、「自動」の文字列と、取得した「閉じ移動開始時刻」の情報と、を連結した文字列が液晶ディスプレイ２４の３行目の部分２４Ｃに表示される処理が、制御部２１により実行されることになる。
【０１１０】
例えば、計時部２３の現在日付の情報のうち、月の情報が「０２」であって、シャッター装置設置場所地域識別情報ファイル６３のレコードのデータ項目「地域コード」の情報が「０３」（関東）である場合には、まず、域別月別シャッターカーテン標準設定移動開始時刻情報ファイル６１のレコードのうち、データ項目「地域コード」の情報が「０３」であって、データ項目「月」の情報が「０２」であるレコードを参照、取得する処理が、制御部２１により実行される。この後、「自動」の文字列と、取得したレコードのデータ項目「閉じ移動開始時刻」の情報「１７１７」（図５参照）を編集した「１７：１７」と、を連結した文字列「自動１７：１７」が液晶ディスプレイ２４の３行目の部分２４Ｃに表示される処理が、制御部２１により実行されることになる。
【０１１１】
シャッターカーテン移動開始モード情報ファイル６５に記憶されているレコードのデータ項目「閉じ移動開始モード」の情報が「２」である場合には、シャッターカーテン手動設定移動開始時刻情報ファイル６４のレコードのデータ項目「閉じ移動開始時刻」の情報（図４で示されているデータ例では、文字列「１８：００」）が液晶ディスプレイ２４の３行目の部分２４Ｃに表示される処理が、制御部２１により実行されることになる。
【０１１２】
なお、図６の液晶ディスプレイ２４の１行目の部分２４Ａ、２行目の部分２４Ｂ及び３行目の部分２４Ｃに表示されている情報は、窓用シャッター装置の工場出荷時に施工担当者により予め設定された情報となっている。図６では、液晶ディスプレイ２４には、遠隔操作装置８の計時部２３の現在時刻が「午前１０時０６分」であり、シャッターカーテン３の開き移動及び閉じ移動が自動で開始されるモードにはなっていないことが示されていることになる。
【０１１３】
なお、図６に示されているように電源が投入（言い換えると、オン）された後の遠隔操作装置８に対して、一定時間操作がない場合には、遠隔操作装置８の電源が自動的に切断（言い換えると、オフ）されるようになっている。
【０１１４】
遠隔操作装置８の計時部２３の現在日付、現在時刻を設定（言い換えると、修正）するためには、まず、図６に示されているように、遠隔操作装置８に電源が投入され、液晶ディスプレイ２４に情報が表示された状態で、「現在時刻」スイッチ２６Ａを所定時間以上（本実施形態では、３秒以上）の長押し操作する。
【０１１５】
これにより、液晶ディスプレイ２４は、図７に示されているように、現在日付、現在時刻及び窓用シャッター装置が設置されている場所（言い換えると、現在地）が属する地域の設定モード画面（表示行数は、図６の場合とは異なり、４行となる）に切り替わる。
【０１１６】
この切り替わった直後の設定モード画面には、上から順に、計時部２３の現在日付の情報のうち、年（西暦４桁）の情報と、月日の情報と、計時部２３の現在時刻の情報と、記憶部２２のシャッター装置設置場所地域識別情報ファイル６３に現在設定、記憶されているレコードのデータ項目「地域コード」と対応する地域名称の情報（地域情報マスター６２を参照して取得したレコードのデータ項目「地域名」の情報）と、が表示される。
【０１１７】
カーソルは、最初は、液晶ディスプレイ２４の１行目の部分２４Ａにおける現在の年の情報を表示する欄（フィールド）にあり、カーソルの存在により白抜き表示となっているこの年の設定を「＋」スイッチ２６Ｅと「−」スイッチ２６Ｆを操作して行う。この年の設定が完了したら「決定」スイッチ２６Ｄを操作する。
【０１１８】
これにより、カーソルは、図示されていないが、液晶ディスプレイ２４の２行目の部分２４Ｂにおける現在の月の情報を表示する欄に移動するので、白抜き表示となる月の設定を「＋」スイッチ２６Ｅと「−」スイッチ２６Ｆを操作して行う。この月の設定が完了したら「決定」スイッチ２６Ｄを操作する。
【０１１９】
このように、「決定」スイッチ２６Ｄを操作することにより、カーソルは、次に設定する情報を表示する欄に移動するので、日の設定、時の設定、分の設定も、上述した操作方法により行う。なお、分の設定が完了した時点で、設定した各情報が計時部２３に反映されることになる。
【０１２０】
図８は、分の設定が完了し、「決定」スイッチ２６Ｄが操作されたときを示す図である。すなわち、図８は、カーソルが、液晶ディスプレイ２４の４行目の部分２４Ｄにおける窓用シャッター装置の設置場所が属する地域の名称情報を表示する欄にあるときを示す図である。
【０１２１】
この地域の設定についても、「＋」スイッチ２６Ｅと「−」スイッチ２６Ｆを操作して行う。すなわち、「＋」スイッチ２６Ｅ又は「−」スイッチ２６Ｆを操作することにより、液晶ディスプレイ２４の４行目の部分２４Ｄにおける窓用シャッター装置の設置場所が属する地域の名称情報を表示する欄には、図８の左隅にも表示されているように、地域情報マスター６２に記憶されている各レコードのデータ項目「地域名」の情報である「北海道」、「東北」、「関東」、「中部」、「近畿」（「関西」と同義）、「中四国」、「九州」、「沖縄」が正循環又は逆循環して表示されることになる。
【０１２２】
地域の設定が完了し、「決定」スイッチ２６Ｄが操作されたとき、液晶ディスプレイ２４の４行目の部分２４Ｄに表示されている地域名称と対応する地域コード（図８の例では、「関東」の地域コード「３」）が、シャッター装置設置場所地域識別情報ファイル６３に記憶される処理が、制御部２１により実行されることなる。この後、遠隔操作装置８の液晶ディスプレイ２４は、前述の図６で示されている通常の状態（１行目の部分２４Ａに表示される現在時刻だけは、上述した作業で設定された時刻に反映される）に戻る。
【０１２３】
以上で、現在日付の情報と、現在時刻の情報と、窓用シャッター装置の設置場所が属する地域の情報の設定作業が完了する。
【０１２４】
次に、利用者が手動で自由に設定した時刻にシャッターカーテン３の開き移動を自動で開始させたい場合におけるこのシャッターカーテン３の開き移動開始時刻を設定するための作業手順について説明する。
【０１２５】
まず、遠隔操作装置８が図６で示されている通常の状態となっている場合において、「あけ時刻」スイッチ２６Ｂを所定時間以上（本実施形態では、３秒以上）の長押し操作する。
【０１２６】
これにより、液晶ディスプレイ２４は、図９に示されているように、開き移動開始時刻の設定モード画面となる。カーソルは、最初は、液晶ディスプレイ２４の２行目の部分２４Ｂにおける開き移動開始時刻のうち、時の情報を表示する欄（フィールド）にあり、カーソルの存在により白抜き表示となっているこの時の設定を「＋」スイッチ２６Ｅと「−」スイッチ２６Ｆを操作して行う。この分の設定が完了したら「決定」スイッチ２６Ｄを操作する。
【０１２７】
これにより、カーソルは、図示されていないが、液晶ディスプレイ２４の２行目の部分２４Ｂにおける開き移動開始時刻のうち、分の情報を表示する欄に移動するので、白抜き表示となる分の設定を「＋」スイッチ２６Ｅと「−」スイッチ２６Ｆを操作して行う。この分の設定が完了し、「決定」スイッチ２６Ｄが操作されたとき、液晶ディスプレイ２４の２行目の部分２４Ｂに表示されている開き移動開始時刻の情報が、シャッターカーテン手動設定移動開始時刻情報ファイル６４のレコードのデータ項目「開き移動開始時刻」の情報として、このシャッターカーテン手動設定移動開始時刻情報ファイル６４に記憶される処理が、制御部２１により実行されることなる。この後、遠隔操作装置８の液晶ディスプレイ２４は、前述の図６で示されている通常の状態に戻る。
【０１２８】
以上で、利用者が手動で自由に設定した時刻にシャッターカーテン３の開き移動を自動で開始させたい場合におけるこのシャッターカーテン３の開き移動開始時刻の設定作業が完了する。
【０１２９】
一方、利用者が手動で自由に設定した時刻にシャッターカーテン３の閉じ移動を自動で開始させたい場合におけるこのシャッターカーテン３の閉じ移動開始時刻を設定するための作業手順も、以上説明した開き移動開始時刻の設定作業と同様である。
【０１３０】
すなわち、まず、遠隔操作装置８が図６で示されている通常の状態となっている場合において、「しめ時刻」スイッチ２６Ｃを所定時間以上（本実施形態では、３秒以上）の長押し操作する。
【０１３１】
これにより、液晶ディスプレイ２４は、閉じ移動開始時刻の設定モード画面となる。図示されていないが、カーソルは、最初は、液晶ディスプレイ２４の３行目の部分２４Ｃにおける閉じ移動開始時刻のうち、時の情報を表示する欄（フィールド）にあり、カーソルの存在により白抜き表示となっているこの時の設定を「＋」スイッチ２６Ｅと「−」スイッチ２６Ｆを操作して行う。この分の設定が完了したら「決定」スイッチ２６Ｄを操作する。
【０１３２】
これにより、カーソルは、図示されていないが、液晶ディスプレイ２４の３行目の部分２４Ｃにおける閉じ移動開始時刻のうち、分の情報を表示する欄に移動するので、白抜き表示となる分の設定を「＋」スイッチ２６Ｅと「−」スイッチ２６Ｆを操作して行う。この分の設定が完了し、「決定」スイッチ２６Ｄが操作されたとき、液晶ディスプレイ２４の３行目の部分２４Ｃに表示されている閉じ移動開始時刻の情報が、シャッターカーテン手動設定移動開始時刻情報ファイル６４のレコードのデータ項目「閉じ移動開始時刻」の情報として、このシャッターカーテン手動設定移動開始時刻情報ファイル６４に記憶される処理が、制御部２１により実行されることなる。この後、遠隔操作装置８の液晶ディスプレイ２４は、前述の図６で示されている通常の状態に戻る。
【０１３３】
以上で、利用者が手動で自由に設定した時刻にシャッターカーテン３の閉じ移動を自動で開始させたい場合におけるこのシャッターカーテン３の閉じ移動開始時刻の設定作業が完了する。
【０１３４】
なお、以上説明したシャッターカーテン３の移動開始時刻の設定作業が完了しても、利用者が手動で自由に設定した時刻にシャッターカーテン３の移動が自動で開始することにはならない。
【０１３５】
前述したように、本実施形態では、遠隔操作装置８には、シャッターカーテン３の移動を手動で開始させるモード（以下「第１モード」という）と、シャッターカーテン３の移動を、地域別月別シャッターカーテン標準設定移動開始時刻情報ファイル６１に記憶されている標準設定の移動開始時刻に自動で開始させるモード（以下「第２モード」という）と、シャッターカーテン３の移動を、シャッターカーテン手動設定移動開始時刻情報ファイル６４に記憶されている手動設定の移動開始時刻に自動で開始させるモード（以下「第３モード」という）と、がある。
【０１３６】
前述した図６で示されているように、液晶ディスプレイ２４の２行目の部分２４Ｂには、文字列「ＯＦＦ」が表示されており、液晶ディスプレイ２４の３行目の部分２４Ｃにも、文字列「ＯＦＦ」が表示されており、このため、シャッターカーテン３は開き移動の開始は、「あける」スイッチ２７Ａを操作することにより、言い換えると、手動により行われるものとなっており、シャッターカーテン３は閉じ移動の開始も、「しめる」スイッチ２７Ｃを操作することにより、言い換えると、手動により行われるものとなっている。
【０１３７】
すなわち、図６で示されている状態において、シャッターカーテン３の開き移動開始モードは、第１モードに設定されており、シャッターカーテン３の閉じ移動開始モードも、第１モードに設定されている。
【０１３８】
このため、シャッターカーテン３の開き移動開始モードを、第１モードから、第２モードあるいは第３モードに切り替える（言い換えると、変更する）ための作業は、以下の手順で行う。
【０１３９】
まず、遠隔操作装置８が図６で示されている通常の状態となっている場合において、「あけ時刻」スイッチ２６Ｂを所定時間未満（本実施形態では、３秒未満）の短押し操作する。これにより、液晶ディスプレイ２４は、図１０に示すシャッターカーテン３の開き移動開始モードの設定画面となる。この設定画面において、「あけ時刻」スイッチ２６Ｂを操作する度に、液晶ディスプレイ２４の２行目の部分２４Ｂに表示される情報が切り替わる。すなわち、「あけ時刻」スイッチ２６Ｂを操作する度に、液晶ディスプレイ２４の２行目の部分２４Ｂには、第１モードであることを示す情報（文字列「ＯＦＦ」（図１０参照））と、第２モードであることを示す情報（文字列「自動」と、地域別月別シャッターカーテン標準設定移動開始時刻情報ファイル６１に記憶されているレコードのデータ項目「開き移動開始時刻」の情報（ＨＨ：ＭＭの表示形式に編集されたもの）と、が連結された文字列（図１１参照））と、第３モードであることを示す情報（シャッターカーテン手動設定移動開始時刻情報ファイル６４に記憶されているレコードのデータ項目「開き移動開始時刻」の情報（ＨＨ：ＭＭの表示形式に編集されたもの（図１２参照）））と、が循環して表示される。
【０１４０】
本実施形態では、液晶ディスプレイ２４の２行目の部分２４Ｂに最初に表示される情報は、シャッターカーテン移動開始モード情報ファイル６５に記憶されているレコードのデータ項目「開き移動開始モード」の情報、すなわち、現在設定されているモードの情報と対応した情報となる。
【０１４１】
このように、液晶ディスプレイ２４がシャッターカーテン３の開き移動開始モードの設定画面となっている場合において、「決定」スイッチ２６Ｄを操作すると、現在表示されているシャッターカーテン３の開き移動開始モードに対応する情報（「０」，「１」，「２」のいずれか）が、シャッターカーテン移動開始モード情報ファイル６５に記憶されているレコードのデータ項目「開き移動開始モード」の情報として、このシャッターカーテン移動開始モード情報ファイル６５に記憶される処理が、制御部２１により実行されることなる。この後、遠隔操作装置８の液晶ディスプレイ２４は、前述の図６で示されている通常の状態に戻る。
【０１４２】
図１３には、シャッターカーテン３の開き移動開始モードが、図６で示されている第１モードから、第２モードに切り替えられた（言い換えると、変更された）例が示されている。
【０１４３】
このように、本実施形態では、遠隔操作装置８の「あけ時刻」スイッチ２６Ｂを操作することにより、シャッターカーテン３の開き移動を標準設定の開き移動開始時刻に自動で開始させるための開閉体開き移動標準設定時刻自動開始モードであるシャッターカーテン開き移動標準設定時刻自動開始モード（第２モード）と、シャッターカーテン３の開き移動を手動設定の開き移動開始時刻に自動で開始させるための開閉体開き移動手動設定時刻自動開始モードであるシャッターカーテン開き移動手動設定時刻自動開始モード（第３モード）と、シャッターカーテン３の開き移動を手動で開始する開閉体移動手動開始モードであるシャッターカーテン移動手動開始モード（第１モード）と、のいずれかの選択が可能となっている。
【０１４４】
なお、シャッターカーテン３の閉じ移動開始モードを切り替えるための作業は、上述したシャッターカーテン３の開き移動開始モードを切り替えるための作業と同様に、以下の手順で行う。
【０１４５】
すなわち、まず、遠隔操作装置８が図６で示されている通常の状態となっている場合において、「しめ時刻」スイッチ２６Ｃを所定時間未満（本実施形態では、３秒未満）の短押し操作する。これにより、図示されていないが、液晶ディスプレイ２４は、シャッターカーテン３の閉じ移動開始モードの設定画面となる。この設定画面において、「しめ時刻」スイッチ２６Ｃを操作する度に、液晶ディスプレイ２４の３行目の部分２４Ｃに表示される情報が切り替わる。
【０１４６】
本実施形態では、液晶ディスプレイ２４の３行目の部分２４Ｃに最初に表示される情報は、シャッターカーテン移動開始モード情報ファイル６５に記憶されているレコードのデータ項目「閉じ移動開始モード」の情報、すなわち、現在設定されているモードの情報と対応した情報となる。
【０１４７】
このように、液晶ディスプレイ２４がシャッターカーテン３の閉じ移動開始モードの設定画面となっている場合において、「決定」スイッチ２６Ｄを操作すると、現在表示されているシャッターカーテン３の閉じ移動開始モードに対応する情報（「０」，「１」，「２」のいずれか）が、シャッターカーテン移動開始モード情報ファイル６５に記憶されているレコードのデータ項目「閉じ移動開始モード」の情報として、このシャッターカーテン移動開始モード情報ファイル６５に記憶される処理が、制御部２１により実行されることなる。この後、遠隔操作装置８の液晶ディスプレイ２４は、前述の図６で示されている通常の状態に戻る。
【０１４８】
図１４には、シャッターカーテン３の閉じ移動開始モードが、図６で示されている第１モードから、第３モードに切り替えられた（言い換えると、変更された）例が示されている。
【０１４９】
このように、本実施形態では、遠隔操作装置８の「しめ時刻」スイッチ２６Ｃを操作することにより、シャッターカーテン３の閉じ移動を標準設定の閉じ移動開始時刻に自動で開始させるための開閉体閉じ移動標準設定時刻自動開始モードであるシャッターカーテン閉じ移動標準設定時刻自動開始モード（第２モード）と、シャッターカーテン３の閉じ移動を手動設定の閉じ移動開始時刻に自動で開始させるための開閉体閉じ移動手動設定時刻自動開始モードであるシャッターカーテン閉じ移動手動設定時刻自動開始モード（第３モード）と、シャッターカーテン３の閉じ移動を手動で開始する開閉体移動手動開始モードであるシャッターカーテン移動手動開始モード（第１モード）と、のいずれかの選択が可能となっている。
【０１５０】
なお、本実施形態では、シャッターカーテン３の開き移動開始モードが第３モードとなっている場合において、遠隔操作装置８が図６で示されている状態で、「あけ時刻」スイッチ２６Ｂと「＋」スイッチ２６Ｅとを同時に操作（言い換えると、押下）することにより、現在表示されている開き移動開始時刻が、３０分進んだ時刻（言い換えると、３０分したプラスした時刻）に変更されて表示されるとともに、この変更された開き移動開始時刻が、シャッターカーテン手動設定移動開始時刻情報ファイル６４に記憶されているレコードのデータ項目「開き移動開始時刻」の情報に反映される。すなわち、シャッターカーテン手動設定移動開始時刻情報ファイル６４に記憶されているレコードのデータ項目「開き移動開始時刻」の情報が、３０分進んだ時刻の情報に更新される。
【０１５１】
また、シャッターカーテン３の開き移動開始モードが第３モードとなっている場合において、遠隔操作装置８が図６で示されている状態で、「あけ時刻」スイッチ２６Ｂと「−」スイッチ２６Ｆとを同時に操作（言い換えると、押下）することにより、現在表示されている開き移動開始時刻が、３０分遅れた時刻（言い換えると、３０分したマイナスした時刻）に変更されて表示されるとともに、この変更された開き移動開始時刻が、シャッターカーテン手動設定移動開始時刻情報ファイル６４に記憶されているレコードのデータ項目「開き移動開始時刻」の情報に反映される。すなわち、シャッターカーテン手動設定移動開始時刻情報ファイル６４に記憶されているレコードのデータ項目「開き移動開始時刻」の情報が、３０分遅れた時刻の情報に更新される。
【０１５２】
このように、本実施形態では、シャッターカーテン３の開き移動開始モードが第３モードとなっている場合において、「あけ時刻」スイッチ２６Ｂと、「＋」スイッチ２６Ｅ又は「−」スイッチ２６Ｆとを同時に操作することにより、シャッターカーテン３の手動設定の開き移動開始時刻をワンタッチで変更することができるようになっている。
【０１５３】
なお、本実施形態では、「あけ時刻」スイッチ２６Ｂと、「＋」スイッチ２６Ｅ又は「−」スイッチ２６Ｆとを同時に操作することにより、手動設定の開き移動開始時刻を進ませる又は遅らせる分数は３０分であったが、これに限定されるものではなく、手動設定の開き移動開始時刻を進ませる又は遅らせる分数は、例えば、５分でもよく、１０分でもよく、１５分でもよく、６０分でもよい。
【０１５４】
また、本実施形態では、シャッターカーテン３の閉じ移動開始モードが第３モードとなっている場合において、「しめ時刻」スイッチ２６Ｃと、「＋」スイッチ２６Ｅ又は「−」スイッチ２６Ｆとを同時に操作することにより、シャッターカーテン３の手動設定の閉じ移動開始時刻をワンタッチで変更することができるようになっている。
【０１５５】
すなわち、シャッターカーテン３の閉じ移動開始モードが第３モードとなっている場合において、遠隔操作装置８が図６で示されている状態で、「しめ時刻」スイッチ２６Ｃと「＋」スイッチ２６Ｅとを同時に操作することにより、現在表示されている閉じ移動開始時刻が、３０分進んだ時刻に変更されて表示されるとともに、この変更された閉じ移動開始時刻が、シャッターカーテン手動設定移動開始時刻情報ファイル６４に記憶されているレコードのデータ項目「閉じ移動開始時刻」の情報に反映される。すなわち、シャッターカーテン手動設定移動開始時刻情報ファイル６４に記憶されているレコードのデータ項目「閉じ移動開始時刻」の情報が、３０分進んだ時刻の情報に更新される。
【０１５６】
また、シャッターカーテン３の閉じ移動開始モードが第３モードとなっている場合において、遠隔操作装置８が図６で示されている状態で、「しめ時刻」スイッチ２６Ｃと「−」スイッチ２６Ｆとを同時に操作することにより、現在表示されている閉じ移動開始時刻が、３０分遅れた時刻に変更されて表示されるとともに、この変更された閉じ移動開始時刻が、シャッターカーテン手動設定移動開始時刻情報ファイル６４に記憶されているレコードのデータ項目「閉じ移動開始時刻」の情報に反映される。すなわち、シャッターカーテン手動設定移動開始時刻情報ファイル６４に記憶されているレコードのデータ項目「閉じ移動開始時刻」の情報が、３０分遅れた時刻の情報に更新される。
【０１５７】
このように、本実施形態では、シャッターカーテン３の閉じ移動開始モードが第３モードとなっている場合において、「しめ時刻」スイッチ２６Ｃと、「＋」スイッチ２６Ｅ又は「−」スイッチ２６Ｆとを同時に操作することにより、シャッターカーテン３の手動設定の閉じ移動開始時刻をワンタッチで変更することができるようになっている。
【０１５８】
なお、本実施形態では、「しめ時刻」スイッチ２６Ｃと、「＋」スイッチ２６Ｅ又は「−」スイッチ２６Ｆとを同時に操作することにより、手動設定の閉じ移動開始時刻を進ませる又は遅らせる分数は３０分であったが、これに限定されるものではなく、手動設定の閉じ移動開始時刻を進ませる又は遅らせる分数は、例えば、５分でもよく、１０分でもよく、１５分でもよく、６０分でもよい。
【０１５９】
本実施形態において、右利きの利用者（言い換えると、操作者）が遠隔操作装置８を操作するとき、この利用者は、通常は、図１５で示されているように、左手４１で遠隔操作装置８を持ちながら、図１６で示されているように、右手４２の指（通常は、図１６で示されているように、人差し指４２Ａ）で遠隔操作装置８の各スイッチを操作することになる。
【０１６０】
本実施形態では、遠隔操作装置８の「現在時刻」スイッチ２６Ａ、「あけ時刻」スイッチ２６Ｂ及び「しめ時刻」スイッチ２６Ｃは、この遠隔操作装置８の液晶ディスプレイ２４の右周縁部（言い換えると、右辺部の近傍）に、上下方向（言い換えると、右辺部の長さ方向）に並んで配置されている。
【０１６１】
言い換えると、本実施形態では、上下方向に並んで配置されている「現在時刻」スイッチ２６Ａ、「あけ時刻」スイッチ２６Ｂ及び「しめ時刻」スイッチ２６Ｃは、液晶ディスプレイ２４の右辺部（言い換えると、右側部）に隣接して配置されている。
【０１６２】
仮に、３個のスイッチ２６Ａ，２６Ｂ，２６Ｃが、液晶ディスプレイ２４の左周縁部（言い換えると、左辺部の近傍）に、上下方向（言い換えると、左辺部の長さ方向）に並んで配置されるものとなっている場合には、図１６から想像できるように、利用者が、３個のスイッチ２６Ａ，２６Ｂ，２６Ｃのいずれかを操作したときに、液晶ディスプレイ２４に表示される情報が、これらのスイッチを操作するための右手４２の指（例えば、人差し指４２Ａ）で隠れてしまうおそれがあり、このため、利用者が液晶ディスプレイ２４に表示される情報を確認しづらくなるおそれがある。
【０１６３】
しかし、本実施形態では、上述したように、３個のスイッチ２６Ａ，２６Ｂ，２６Ｃは、液晶ディスプレイ２４の右周縁部に、上下方向に並んで配置されるようになっている。
【０１６４】
このため、本実施形態によると、右利きの利用者が、３個のスイッチ２６Ａ，２６Ｂ，２６Ｃのいずれかを操作したときに、液晶ディスプレイ２４に表示される情報が、これらのスイッチを操作するための自分の右手４２の指（例えば、人差し指４２Ａ）で隠れてしまうおそれはなく、利用者は、液晶ディスプレイ２４に表示される情報を容易に確認することができるようになる。
【０１６５】
本実施形態において、液晶ディスプレイ２４と３個のスイッチ２６Ａ，２６Ｂ，２６Ｃとの配置を、このような関係にしたのは、右利きの人の人口割合が高いことを考慮したためのである。
【０１６６】
このように、本実施形態では、遠隔操作装置８を操作するための操作スイッチである３個のスイッチ２６Ａ，２６Ｂ，２６Ｃは、液晶ディスプレイ２４の周縁部であって、右利きの操作者（言い換えると、窓用シャッター装置の利用者や施工担当者等）がこれらのスイッチ２６Ａ，２６Ｂ，２６Ｃを操作したときに、液晶ディスプレイ２４に表示される情報がこの操作者の右手４２で隠れない位置に配置されている。
【０１６７】
このため、本実施形態によると、遠隔操作装置８は、操作者にとって操作がしやすいものとなる。
【０１６８】
なお、「右手４２で隠れない」とは、液晶ディスプレイ２４に表示される情報の全部が常時右手４２で隠れないということは必ずしも必要ではなく、液晶ディスプレイ２４に表示される情報の一部が、操作スイッチである３個のスイッチ２６Ａ，２６Ｂ，２６Ｃの操作に支障をきたさない程度に右手４２で隠れてしまう場合があってもよいという意味である。
【０１６９】
また、本実施形態では、遠隔操作装置８を操作するための操作スイッチである「決定」スイッチ２６Ｄ、「＋」スイッチ２６Ｅ及び「−」スイッチ２６Ｆは、液晶ディスプレイ２４の下周縁部（言い換えると、下辺部の近傍）に左右方向に並んで配置されている。すなわち、３個のスイッチ２６Ｄ，２６Ｅ，２６Ｆも、液晶ディスプレイ２４の周縁部であって、右利きの操作者がこれらのスイッチ２６Ｄ，２６Ｅ，２６Ｆを操作したときに、液晶ディスプレイ２４に表示される情報が操作者の右手４２で隠れない位置に配置されており、これによっても、遠隔操作装置８は、操作者にとって操作がしやすいものとなっている。
【０１７０】
また、本実施形態では、３個のスイッチ２６Ａ，２６Ｂ，２６Ｃのそれぞれの操作により設定されるそれぞれの情報（例えば、文字列「ＯＦＦ」や「自動」、時刻（ＨＨ：ＭＭの表示形式）の情報）は、液晶ディスプレイ２４におけるそれぞれのスイッチの近傍に表示されるようになっている。
【０１７１】
より具体的には、３個のスイッチ２６Ａ，２６Ｂ，２６Ｃのそれぞれの操作により設定されるそれぞれの情報は、液晶ディスプレイ２４において、それぞれのスイッチから、液晶ディスプレイ２４の右辺部の長さ方向である上下方向と直交又は略直交する方向である左右方向のうち、一方の方向である左方向の側に、左右方向に渡って横書き（言い換えると、横並び）で表示されるものとなっている。
【０１７２】
言い換えると、３個のスイッチ２６Ａ，２６Ｂ，２６Ｃのそれぞれの操作により設定されるそれぞれの情報は、液晶ディスプレイ２４におけるそれぞれのスイッチの上下方向の位置と同じ又は略同じ上下方向の位置に横書きで表示されるものとなっている。
【０１７３】
このように、本実施形態では、液晶ディスプレイ２４に表示される操作スイッチ２６Ａ，２６Ｂ，２６Ｃのそれぞれの操作により設定されたそれぞれの情報は、文字情報からなっており、この文字情報の書字方向は、液晶ディスプレイ２４の右辺部の長さ方向である上下方向と直交又は略直交する方向である左右方向となっている。
【０１７４】
このため、本実施形態によると、利用者は、液晶ディスプレイ２４に表示されるそれぞれの情報が、どのスイッチにより設定された情報であるかを一目で把握することができるようになる。
【０１７５】
したがって、本実施形態によると、遠隔操作装置８は、操作者にとって操作がしやすいものとなる。
【０１７６】
また、本実施形態では、「現在時刻」スイッチ２６Ａの表面には、この操作スイッチ２６Ａの操作により設定される情報（現在時刻）の設定項目名称「現在時刻」が印字され、「あけ時刻」スイッチ２６Ｂの表面には、この操作スイッチ２６Ｂの操作により設定される情報（シャッターカーテン３の開き移動開始時刻）の設定項目名称「あけ時刻」が印字され、「しめ時刻」スイッチ２６Ｃの表面には、この操作スイッチ２６Ｃの操作により設定される情報（シャッターカーテン３の閉じ移動開始時刻）の設定項目名称「しめ時刻」が印字されている。
【０１７７】
このため、本実施形態では、操作スイッチ２６Ａ，２６Ｂ，２６Ｃのぞれぞれの表面に印字された文字情報である設定項目名称は、液晶ディスプレイ２４におけるそれぞれの操作スイッチの左側に表示される情報の項目見出し情報となっている。
【０１７８】
これにより、遠隔操作装置８の操作者は、液晶ディスプレイ２４に現在表示される情報が何の情報なのかを、この液晶ディスプレイ２４の右辺部の近傍に配置されている操作スイッチ２６Ａ，２６Ｂ，２６Ｃのそれぞれに印字された設定項目名称を見れば分かるようになっており、これによっても、遠隔操作装置８は、操作者にとって操作がしやすいものとなっている。
【０１７９】
次に、本実施形態に係るシャッターカーテン制御装置の動作を図２により説明する。
【０１８０】
前述したように、本実施形態では、遠隔操作装置８には、シャッターカーテン３の移動を手動で開始させる第１モード（言い換えると、タイマーオフモード）と、シャッターカーテン３の移動を、地域別月別シャッターカーテン標準設定移動開始時刻情報ファイル６１に記憶されている標準設定の移動開始時刻に自動で開始させる第２モード（言い換えると、自動タイマーオンモード）と、シャッターカーテン３の移動を、シャッターカーテン手動設定移動開始時刻情報ファイル６４に記憶されている手動設定の移動開始時刻に自動で開始させる第３モード（言い換えると、手動タイマーオンモード）と、があり、これらのモードは、シャッターカーテン３の開き移動とシャッターカーテン３の閉じ移動のそれぞれに対してある。
【０１８１】
なお、現在のシャッターカーテン３の開き移動を開始させるモード（以下、「開き移動開始モード」という）が、上述した３つのモードのどれであるかは、前述した図４（Ｅ）に示すシャッターカーテン移動開始モード情報ファイル６５に記憶されているレコードのデータ項目「開き移動開始モード」の情報（「０」（第１モード）、「１」（第２モード）、「２」（第３モード））を参照することにより判定できるものである。
【０１８２】
これと同様に、現在のシャッターカーテン３の閉じ移動を開始させるモード（以下、「閉じ移動開始モード」という）が、上述した３つのモードのどれであるかは、前述したシャッターカーテン移動開始モード情報ファイル６５に記憶されているレコードのデータ項目「閉じ移動開始モード」の情報（「０」（第１モード）、「１」（第２モード）、「２」（第３モード））を参照することにより判定できるものである。
【０１８３】
最初に、シャッターカーテン３の開き移動についてのシャッターカーテン制御装置の動作を説明する。
【０１８４】
現在の開き移動開始モードが第１モードである場合には、利用者が遠隔操作装置８の「あける」スイッチ２７Ａを操作しない限り、シャッターカーテン３の開き移動は開始されない。
【０１８５】
この「あける」スイッチ２７Ａが操作されると、遠隔操作装置８の制御部２１は、この遠隔操作装置８を識別するための遠隔操作装置の識別情報と、シャッターカーテン３の開き移動を開始させるための開信号（言い換えると、開き移動開始制御信号）と、を有する送信データを、遠隔操作装置８の送信部２９に伝達する処理を実行する。
【０１８６】
この後、送信部２９は、制御部２１から伝達された送信データを無線信号に変調するとともに、この無線信号をこの遠隔操作装置８の内部アンテナ３０から空間に放射させる処理を実行する。
【０１８７】
一方、被遠隔操作装置１１の外部アンテナ３５が、遠隔操作装置８の内部アンテナ３０から放出された上記無線信号を捕捉すると、被遠隔操作装置１１の受信部３６は、上記無線信号を復調した受信データを、被遠隔操作装置１１の制御部３７に伝達する処理を実行する。
【０１８８】
この後、制御部３７が、上記受信データのうち、遠隔操作装置の識別情報がこの被遠隔操作装置１１の記憶部３８に記憶（言い換えると、登録）されていないと判定した場合には、制御部３７は、上記受信データを無視し、以降の処理を実行しない。
【０１８９】
一方、制御部３７が、上記受信データのうち、遠隔操作装置の識別情報がこの被遠隔操作装置１１の記憶部３８に記憶されていると判定した場合には、制御部３７は、シャッターカーテン３の開き移動を開始させるための開信号（言い換えると、開き移動開始制御信号）を、制御装置１０の制御部３２に伝達する処理を実行する。
【０１９０】
この後、制御装置１０の制御部３２は、シャッターカーテン３を開き移動させるための制御処理を開閉機７に対して実行する。
【０１９１】
また、現在の開き移動開始モードが第２モードである場合には、遠隔操作装置８の制御部２１は、前述した図４（Ｃ）に示すシャッター装置設置場所地域識別情報ファイル６３を参照し、取得したこのシャッター装置設置場所地域識別情報ファイル６３に記憶されているレコードのデータ項目「地域コード」の情報と、計時部２３を参照し、取得した現在日付のうち、現在の月の情報と、に基づいて、前述した図４（Ａ）に示す地域別月別シャッターカーテン標準設定移動開始時刻情報ファイル６１を参照する処理を実行する。
【０１９２】
すなわち、制御部２１は、シャッター装置設置場所地域識別情報ファイル６３の「地域コード」の情報と、計時部２３の現在の月の情報を、参照キー（言い換えると、検索キー）として、地域別月別シャッターカーテン標準設定移動開始時刻情報ファイル６１を参照する（言い換えると、検索する）処理を実行する。
【０１９３】
そして、地域別月別シャッターカーテン標準設定移動開始時刻情報ファイル６１に記憶されているレコードの中に、データ項目「地域コード」の情報が、シャッター装置設置場所地域識別情報ファイル６３の「地域コード」の情報と一致し、かつ、データ項目「月」の情報が、計時部２３の現在の月の情報と一致するレコードが存在したとき、制御部２１は、このレコードに記憶されているレコードのデータ項目「開き移動開始時刻」の情報である標準設定の開き移動開始時刻を取得する処理を実行する。
【０１９４】
この後、制御部２１は、計時部２３を参照し、取得した現在時刻が、取得した標準設定の開き移動開始時刻になったかどうかの判定処理を実行する。
【０１９５】
以上の各処理は、制御部２１により繰り返し実行（言い換えると、ループ処理）され、制御部２１が、計時部２３を参照し、取得した現在時刻が、取得した標準設定の開き移動開始時刻になったと判定したとき、制御部２１は、前述した「あける」スイッチ２７Ａが操作されたときと同様の処理を実行する。これにより、シャッターカーテン３は、予め標準で設定された標準設定の開き移動開始時刻に開き移動を開始することになる。
【０１９６】
なお、制御部２１による上述したループ処理の実行中に、計時部２３の現在日付のうち、現在月が変わった（すなわち、月が翌月に変わった）場合には、制御部２１により取得される標準設定の開き移動開始時刻は、翌月の標準設定の開き移動開始時刻に変更されることなり、上述したループ処理における判定条件は変更となる。
【０１９７】
例えば、窓用シャッター装置の設置場所が属する地域が「北海道」（地域コードが「０１」）であって、計時部２３の現在月が「０２」から翌月である「０３」に変わった場合には、判定条件となる標準設定の開き移動開始時刻は、図４（Ａ）に示されているように、「６：３６」から「５：４９」に変更となる。
【０１９８】
なお、この開き移動の開始前に、シャッターカーテン３が既に全開状態（言い換えると、図示しない全開リミットスイッチが作動した状態）となっている場合には、制御部２１によるシャッターカーテン３を自動で開き移動させるための処理は実行されない。
【０１９９】
一方、現在の開き移動開始モードが第３モードである場合には、遠隔操作装置８の制御部２１は、この遠隔操作装置８の計時部２３を参照し、取得した現在時刻の情報が、前述した図４（Ｄ）に示すシャッターカーテン手動設定移動開始時刻情報ファイル６４に記憶されているレコードのデータ項目「開き移動開始時刻」の情報と一致したかどうかの判定処理を繰り返し実行する。
【０２００】
すなわち、制御部２１は、計時部２３の現在時刻が、シャッターカーテン手動設定移動開始時刻情報ファイル６４の「開き移動開始時刻」の情報である手動設定の開き移動開始時刻になったかどうかの判定処理を繰り返し実行する。
【０２０１】
そして、制御部２１が、計時部２３の現在時刻が手動設定の開き移動開始時刻になったと判定したとき、制御部２１は、前述した「あける」スイッチ２７Ａが操作されたときと同様の処理を実行する。これにより、シャッターカーテン３は、利用者が手動で自由に設定した上記開き移動開始時刻に開き移動を開始することになる。
【０２０２】
なお、前述した第２モードの場合と同様に、この開き移動の開始前に、シャッターカーテン３が既に全開状態（言い換えると、図示しない全開リミットスイッチが作動した状態）となっている場合には、制御部２１によるシャッターカーテン３を自動で開き移動させるための処理は実行されない。
【０２０３】
なお、シャッターカーテン３の閉じ移動についてのシャッターカーテン制御装置の動作も、以上説明したシャッターカーテン３の開き移動についてのシャッターカーテン制御装置の動作と同様となっている。
【０２０４】
すなわち、現在の閉じ移動開始モードが第１モードである場合には、利用者が遠隔操作装置８の「しめる」スイッチ２７Ｃを操作しない限り、シャッターカーテン３の閉じ移動は開始されない。
【０２０５】
この「しめる」スイッチ２７Ｃが操作されると、遠隔操作装置８の制御部２１は、この遠隔操作装置８を識別するための遠隔操作装置の識別情報と、シャッターカーテン３の閉じ移動を開始させるための閉信号（言い換えると、閉じ移動開始制御信号）と、を有する送信データを、遠隔操作装置８の送信部２９に伝達する処理を実行する。
【０２０６】
この後、送信部２９は、前述した「あける」スイッチ２７Ａが操作された場合と同様に、制御部２１から伝達された送信データを無線信号に変調するとともに、この無線信号をこの遠隔操作装置８の内部アンテナ３０から空間に放射させる処理を実行する。
【０２０７】
一方、被遠隔操作装置１１の外部アンテナ３５が、遠隔操作装置８の内部アンテナ３０から放出された上記無線信号を捕捉すると、被遠隔操作装置１１の受信部３６は、前述した「あける」スイッチ２７Ａが操作された場合と同様に、上記無線信号を復調した受信データを、被遠隔操作装置１１の制御部３７に伝達する処理を実行する。
【０２０８】
この後、制御部３７が、上記受信データのうち、遠隔操作装置の識別情報がこの被遠隔操作装置１１の記憶部３８に記憶（言い換えると、登録）されていないと判定した場合には、制御部３７は、前述した「あける」スイッチ２７Ａが操作された場合と同様に、上記受信データを無視し、以降の処理を実行しない。
【０２０９】
一方、制御部３７が、上記受信データのうち、遠隔操作装置の識別情報がこの被遠隔操作装置１１の記憶部３８に記憶されていると判定した場合には、制御部３７は、シャッターカーテン３の閉じ移動を開始させるための閉信号（言い換えると、閉じ移動開始制御信号）を、制御装置１０の制御部３２に伝達する処理を実行する。
【０２１０】
この後、制御装置１０の制御部３２は、シャッターカーテン３を閉じ移動させるための制御処理を開閉機７に対して実行する。
【０２１１】
また、現在の閉じ移動開始モードが第２モードである場合には、遠隔操作装置８の制御部２１は、前述した図４（Ｃ）に示すシャッター装置設置場所地域識別情報ファイル６３を参照し、取得したこのシャッター装置設置場所地域識別情報ファイル６３に記憶されているレコードのデータ項目「地域コード」の情報と、計時部２３を参照し、取得した現在日付のうち、現在の月の情報と、に基づいて、前述した図４（Ａ）に示す地域別月別シャッターカーテン標準設定移動開始時刻情報ファイル６１を参照する処理を実行する。
【０２１２】
すなわち、制御部２１は、シャッター装置設置場所地域識別情報ファイル６３の「地域コード」の情報と、計時部２３の現在の月の情報を、参照キー（言い換えると、検索キー）として、地域別月別シャッターカーテン標準設定移動開始時刻情報ファイル６１を参照する（言い換えると、検索する）処理を実行する。
【０２１３】
そして、地域別月別シャッターカーテン標準設定移動開始時刻情報ファイル６１に記憶されているレコードの中に、データ項目「地域コード」の情報が、シャッター装置設置場所地域識別情報ファイル６３の「地域コード」の情報と一致し、かつ、データ項目「月」の情報が、計時部２３の現在の月の情報と一致するレコードが存在したとき、制御部２１は、このレコードに記憶されているレコードのデータ項目「閉じ移動開始時刻」の情報である標準設定の閉じ移動開始時刻を取得する処理を実行する。
【０２１４】
この後、制御部２１は、計時部２３を参照し、取得した現在時刻が、取得した標準設定の閉じ移動開始時刻になったかどうかの判定処理を実行する。
【０２１５】
以上の各処理は、制御部２１により繰り返し実行（言い換えると、ループ処理）され、制御部２１が、計時部２３を参照し、取得した現在時刻が、取得した標準設定の閉じ移動開始時刻になったと判定したとき、制御部２１は、前述した「しめる」スイッチ２７Ｃが操作されたときと同様の処理を実行する。これにより、シャッターカーテン３は、予め標準で設定された標準設定の閉じ移動開始時刻に閉じ移動を開始することになる。
【０２１６】
なお、制御部２１による上述したループ処理の実行中に、計時部２３の現在日付のうち、現在月が変わった（すなわち、月が翌月に変わった）場合には、制御部２１により取得される標準設定の閉じ移動開始時刻は、翌月の標準設定の閉じ移動開始時刻に変更されることなり、上述したループ処理における判定条件は変更となる。
【０２１７】
例えば、窓用シャッター装置の設置場所が属する地域が「北海道」（地域コードが「０１」）であって、計時部２３の現在月が「０２」から翌月である「０３」に変わった場合には、判定条件となる標準設定の閉じ移動開始時刻は、図４（Ａ）に示されているように、「１７：０２」から「１７：３６」に変更となる。
【０２１８】
なお、この閉じ移動の開始前に、シャッターカーテン３が既に全閉状態（言い換えると、図示しない全閉リミットスイッチが作動した状態）となっている場合には、制御部２１によるシャッターカーテン３を自動で閉じ移動させるための処理は実行されない。
【０２１９】
一方、現在の閉じ移動開始モードが第３モードである場合には、遠隔操作装置８の制御部２１は、前述した現在の開き移動開始モードが第２モードである場合と同様に、この遠隔操作装置８の計時部２３を参照し、取得した現在時刻の情報が、前述した図４（Ｄ）に示すシャッターカーテン手動設定移動開始時刻情報ファイル６４に記憶されているレコードのデータ項目「閉じ移動開始時刻」の情報と一致したかどうかの判定処理を繰り返し実行する。
【０２２０】
すなわち、制御部２１は、計時部２３の現在時刻が、シャッターカーテン手動設定移動開始時刻情報ファイル６４の「閉じ移動開始時刻」の情報である手動設定の閉じ移動開始時刻になったかどうかの判定処理を繰り返し実行する。
【０２２１】
そして、制御部２１が、計時部２３の現在時刻が手動設定の閉じ移動開始時刻になったと判定したとき、制御部２１は、前述した「しめる」スイッチ２７Ｃが操作されたときと同様の処理を実行する。これにより、シャッターカーテン３は、利用者が手動で自由に設定した上記閉じ移動開始時刻に閉じ移動を開始することになる。
【０２２２】
なお、前述した第２モードの場合と同様に、この閉じ移動の開始前に、シャッターカーテン３が既に全閉状態（言い換えると、図示しない全閉リミットスイッチが作動した状態）となっている場合には、制御部２１によるシャッターカーテン３を自動で閉じ移動させるための処理は実行されない。
【０２２３】
なお、以上の説明において、制御部２１が、地域別月別シャッターカーテン標準設定移動開始時刻情報ファイル６１を参照する処理を実行した結果、該当するレコードが存在しなかったと判定した場合には、制御部２１は、液晶ディスプレイ２４にその旨のエラー情報を表示させる処理、さらには、ブザー音を報知部２５から発生させる処理を実行し、この後の処理は実行しない（言い換えると、中止する）ことが好ましい。
【０２２４】
なお、遠隔操作装置８の「とまる」スイッチ２７Ｂが操作されると、遠隔操作装置８の制御部２１は、この遠隔操作装置８を識別するための遠隔操作装置の識別情報と、シャッターカーテン３の移動を停止させるための停信号（言い換えると、移動停止制御信号）と、を有する送信データを、遠隔操作装置８の送信部２９に伝達する処理を実行する。
【０２２５】
この後、送信部２９は、制御部２１から伝達された送信データを無線信号に変調するとともに、この無線信号をこの遠隔操作装置８の内部アンテナ３０から空間に放射させる処理を実行する。
【０２２６】
一方、被遠隔操作装置１１の外部アンテナ３５が、遠隔操作装置８の内部アンテナ３０から放出された上記無線信号を捕捉すると、被遠隔操作装置１１の受信部３６は、上記無線信号を復調した受信データを、被遠隔操作装置１１の制御部３７に伝達する処理を実行する。
【０２２７】
この後、制御部３７が、上記受信データのうち、遠隔操作装置の識別情報がこの被遠隔操作装置１１の記憶部３８に記憶（言い換えると、登録）されていないと判定した場合には、制御部３７は、上記受信データを無視し、以降の処理を実行しない。
【０２２８】
一方、制御部３７が、上記受信データのうち、遠隔操作装置の識別情報がこの被遠隔操作装置１１の記憶部３８に記憶されていると判定した場合には、制御部３７は、シャッターカーテン３の移動を停止させるための停信号（言い換えると、移動停止制御信号）を、制御装置１０の制御部３２に伝達する処理を実行する。
【０２２９】
この後、制御装置１０の制御部３２は、移動中のシャッターカーテン３を移動させるための制御処理を開閉機７に対して実行する。
【０２３０】
このように、本実施形態では、遠隔操作装置８は、無線通信により窓用シャッター装置を操作するものとなっている。
【０２３１】
なお、遠隔操作装置８の制御部２１は、本実施形態に係る第１制御部となっている。一方、シャッターカーテン３を駆動させるための開閉機７側に配置されている被遠隔操作装置１１の制御部３７と制御装置１０の制御部３２は、第１制御部から送信されたシャッターカーテン３の移動を開始させるための移動開始制御信号と、シャッターカーテン３の移動を停止させるための移動停止制御信号を受信し、受信したこれらの制御信号に基づいて開閉機７の駆動制御を実行するための本実施形態に係る第２制御部を構成するものとなっている。
【０２３２】
以上説明した本実施形態では、現在のシャッターカーテン３の移動開始モードが第３モードである場合において、シャッターカーテン３の移動開始時刻は、記憶部２２の地域別月別シャッターカーテン標準設定移動開始時刻情報ファイル６１に予め記憶（言い換えると、登録）されている地域別、月別のシャッターカーテン３の標準設定の移動開始時刻の情報に基づいて決定される。
【０２３３】
これにより、計時部２３の月が変わって翌月になると、シャッターカーテン３は、地域別月別シャッターカーテン標準設定移動開始時刻情報ファイル６１に記憶されている翌月用の移動開始時刻に、移動を開始することになる。
【０２３４】
このため、窓用シャッター装置の利用者（あるいは窓用シャッター装置の施工・メンテナンス担当者）は、月が変わって翌月になってから、シャッターカーテン３の移動開始時刻を再設定する作業を行う必要はなくなる。
【０２３５】
すなわち、窓用シャッター装置の利用者（あるいは窓用シャッター装置の施工・メンテナンス担当者）は、窓用シャッター装置の設置場所が属する地域の識別情報をシャッター装置設置場所地域識別情報ファイル６３に記憶させた以降は、月が変わるたびに、シャッターカーテン３の移動開始時刻を再設定する作業を行う必要はなくなる。
【０２３６】
このように、本実施形態によると、窓用シャッター装置のシャッターカーテン３を自動で開始させる時刻の設定作業が容易となる。
【０２３７】
なお、以上の説明から分かるように、本実施形態に係る窓用シャッター装置のシャッターカーテン制御方法は、遠隔操作装置８の制御部２１が、シャッター装置設置場所地域識別情報ファイル６３を参照し、このシャッターカーテン手動設定移動開始時刻情報ファイル６４に記憶されているレコードのデータ項目「地域コード」の情報を取得するステップと、制御部２１が、計時部２３を参照し、現在日付の情報を取得するステップと、制御部２１が、取得した「地域コード」の情報と、取得した現在日付の情報のうち、現在の月の情報と、に基づいて、地域別月別シャッターカーテン標準設定移動開始時刻情報ファイル６１を参照し、シャッターカーテン３の標準設定の移動開始時刻の情報を取得するステップと、制御部２１が、計時部２３参照し、現在時刻の情報を取得するステップと、制御部２１が、取得した現在時刻が、取得した標準設定の前記移動開始時刻になった判定したとき、シャッターカーテン３の移動を開始させる制御を実行するステップと、を有するものとなっている。
【０２３８】
なお、以上説明した本実施形態では、地域別月別シャッターカーテン標準設定移動開始時刻情報ファイル６１に予め設定、記憶されている標準設定の開き移動開始時刻、閉じ移動開始時刻は、地域別月別の日の出の時刻、日の入りの時刻と同じとなっていたが、この地域別月別シャッターカーテン標準設定移動開始時刻情報ファイル６１に予め設定、記憶する標準設定の開き移動開始時刻、閉じ移動開始時刻は、窓用シャッター装置の施工担当者等が独自に決めた（言い換えると、選定した）任意な時刻としてもよい。
【０２３９】
また、地域別月別シャッターカーテン標準設定移動開始時刻情報ファイル６１に予め設定、記憶する標準設定の開き移動開始時刻、閉じ移動開始時刻は、より細分化された地域別月日別の日の出の時刻、日の入りの時刻としてもよい。
【０２４０】
また、地域別月別シャッターカーテン標準設定移動開始時刻情報ファイル６１に予め設定、記憶する標準設定の開き移動開始時刻、閉じ移動開始時刻は、さらに細分化された地域別年月日別の日の出の時刻、日の入りの時刻、すなわち、例えば、国立天文台から発表される数年分のカレンダーの日付毎の日の出の時刻、日の入りの時刻としてもよい。
【０２４１】
図１７及び図１８は、遠隔操作装置８の別実施形態を示す図である。
【０２４２】
この実施形態に係る遠隔操作装置８には、液晶ディスプレイ２４にこの遠隔操作装置８の操作方法のヘルプ情報を表示させるための「ＨＥＬＰ」スイッチ２６Ｇが備えられている。
【０２４３】
液晶ディスプレイ２４が、図１７で示されている通常の表示状態となっている場合において、「ＨＥＬＰ」スイッチ２６Ｇが操作されると、液晶ディスプレイ２４には、図１８に示す操作説明のメニュー画面が表示される。
【０２４４】
このメニュー画面において、「＋」スイッチ２６Ｅ又は「−」スイッチ２６Ｆを操作して、カーソルを見たいヘルプ情報の項目まで移動させた後、「決定」スイッチ２６Ｄを操作すると、選択された項目についてのヘルプ情報が、液晶ディスプレイ２４に表示される。
【０２４５】
なお、「ＨＥＬＰ」スイッチ２６Ｇを配置する位置は、図１７及び図１８で示されている位置（「＋」スイッチ２６Ｅ、「−」スイッチ２６Ｆ及び「決定」スイッチ２６Ｄの下側）に限定されるものではなく、任意の位置でよい。
【０２４６】
また、図１８に示す操作説明のメニュー画面を表示させるための「ＨＥＬＰ」スイッチ２６Ｇを配置せずに、例えば、「決定」スイッチ２６Ｄと「＋」スイッチ２６Ｅとを同時に操作することにより、あるいは、「決定」スイッチ２６Ｄと「−」スイッチ２６Ｆとを同時に操作することにより、図１８に示す操作説明のメニュー画面が表示されるようにしてもよい。
【０２４７】
図１９は、遠隔操作装置８のさらなる別実施形態を示す図である。
【０２４８】
この図１９に示されているように、この実施形態に係る遠隔操作装置８は、表面に「あけ時刻」と印字されていた前述した実施形態に係る「あけ時刻」スイッチ２６Ｂの代わり、表面に、シャッターカーテン３で閉鎖されていない状態の窓のイラスト（言い換えると、図形）が印字された「あけ時刻」スイッチ２６Ｂ´が備えられ、表面に「しめ時刻」と印字されていた前述した実施形態に係る「しめ時刻」スイッチ２６Ｃの代わり、表面に、シャッターカーテン３で閉鎖された状態の窓のイラスト（言い換えると、図形）が印字された「しめ時刻」スイッチ２６Ｃ´が備えられたものとなっている。
【０２４９】
このように、本実施形態では、「あけ時刻」スイッチ２６Ｂ´と「しめ時刻」スイッチ２６Ｃ´のそれぞれの表面に印字されていて、液晶ディスプレイ２４におけるそれぞれの操作スイッチ２６Ｂ´，２６Ｃ´の左側に横書きで表示される情報の項目見出し情報となって設定項目名称は、図形情報からなっているものである。
【０２５０】
なお、以上説明した各実施形態において、「＋」スイッチ２６Ｅと「−」スイッチ２６Ｆの配置位置は、逆となっていてもよい。すなわち、「＋」スイッチ２６Ｅが左側に、「−」スイッチ２６Ｆが右側に配置されるようにしてもよい。
【０２５１】
図２０は、遠隔操作装置８のまたさらなる別実施形態を示す図である。
【０２５２】
この実施形態に係る遠隔操作装置８は、前述した実施形態とは異なり、３個のスイッチ２６Ａ，２６Ｂ，２６Ｃは、液晶ディスプレイ２４の左周縁部に、上下方向に並んで配置されるようになっている。また、この実施形態に係る遠隔操作装置８は、左から「−」スイッチ２６Ｆ、「＋」スイッチ２６Ｅ、「決定」スイッチ２６Ｄの順に並んで配置されていた前述した実施形態とは異なり、左から「決定」スイッチ２６Ｄ、「＋」スイッチ２６Ｅ、「−」スイッチ２６Ｆの順に並んで配置されている。
【０２５３】
すなわち、この実施形態に係る遠隔操作装置８は、左利きの利用者用の遠隔操作装置となっている。
【０２５４】
この実施形態に係る遠隔操作装置８は、例えば、窓用シャッター装置が個人住宅に設置されるものであって、この住宅の住人の中に左利きの人が多い場合等に好適なものとなる。
【０２５５】
なお、本実施形態において、「＋」スイッチ２６Ｅと「−」スイッチ２６Ｆの配置位置は、逆となっていてもよい。すなわち、「＋」スイッチ２６Ｅが右側に、「−」スイッチ２６Ｆが左側に配置されるようにしてもよい。
【０２５６】
なお、以上説明した各実施形態において、遠隔操作装置８に内蔵されている電池の残量が少なくなった場合（ほとんどない場合を含む）には、電池の残量が少なくなった旨の情報及び／又は電池の交換を促す情報（どちらも文字及び／又はイラストによる情報）を液晶ディスプレイ２４に表示する処理、さらには、ブザー音を報知部２５から発生させる処理が、制御部２１により実行されるようにしてもよい。
【０２５７】
なお、以上説明した各実施形態では、遠隔操作装置８は、液晶ディスプレイ２４が故障した場合及び／又は６個のスイッチ２６Ａ，２６Ｂ，２６Ｃ，２６Ｄ，２６Ｅ，２６Ｆのうち、少なくとも１個が故障した場合においても、「あける」スイッチ２７Ａ、「とまる」スイッチ２７Ｂ及び「しめる」スイッチ２７Ｃの操作は可能となっている。
【０２５８】
すなわち、液晶ディスプレイ２４及び６個のスイッチ２６Ａ，２６Ｂ，２６Ｃ，２６Ｄ，２６Ｅ，２６Ｆと、「あける」スイッチ２７Ａ、「とまる」スイッチ２７Ｂ及び「しめる」スイッチ２７Ｃとは、互いに独立した構成となっている。
【０２５９】
図２１は、本発明の第２の実施形態に係るシャッターカーテン制御装置の構成図を示す図２と同様の図である。
【０２６０】
なお、この図２１や、後述する図２２と図２３において、図２で示されている装置、機器と同じ装置、機器については、同じ符号を付し、その装置、機器についての説明は省略する。
【０２６１】
この図２１の実施形態では、図２で示されている被遠隔操作装置１１を無くし、制御装置１０に被遠隔操作装置１１の機能を持たせたものとなっている。
【０２６２】
すなわち、本実施形態では、制御装置１０のアンテナ５１，受信部５２は、図２の被遠隔操作装置１１のアンテナ３５，受信部３６に相当し、言い換えると、図２の被遠隔操作装置１１のアンテナ３５，受信部３６の機能を有するものとなっている。
【０２６３】
また、制御装置１０の記憶部５４には、図２の被遠隔操作装置１１の記憶部３８に記憶されていた制御部３７の制御ソフトウェアも記憶されるようになっている。
【０２６４】
さらに、本実施形態に係る第２制御部となっている制御装置１０の制御部５３（マイクロコンピュータ等で構成される）は、図２の被遠隔操作装置１１の制御部３７と、図２の制御装置１０の制御部３２の両方の機能を有するものとなっている。
【０２６５】
このように、本実施形態では、遠隔操作装置８は、無線通信により窓用シャッター装置を操作するものとなっている。
【０２６６】
本実施形態によると、前述した図２の実施形態に係るシャッターカーテン制御装置を構成する開閉機７側に配置する装置、機器をコンパクト化（言い換えると、小型化）することができるようになる。
【０２６７】
図２２は、本発明の第３の実施形態に係るシャッターカーテン制御装置の構成図を示す図２と同様の図である。
【０２６８】
この図２２の実施機形態では、遠隔操作装置８には、図２の実施形態に係る遠隔操作装置８を構成していたアンテナ３０，送信部２９は備えられていない。また、本実施形態では、被遠隔操作装置１１も備えられていない。
【０２６９】
すなわち、本実施形態では、遠隔操作装置８は有線式の遠隔操作装置となっている。このため、遠隔操作装置８の制御部２１と制御装置１０の制御部３２とは、有線で接続されるようになっている。
【０２７０】
このように、本実施形態では、遠隔操作装置８は、有線通信により窓用シャッター装置を操作するものとなっている。
【０２７１】
図２３は、本発明の第４の実施形態に係るシャッターカーテン制御装置の構成図を示す図２と同様の図である。
【０２７２】
この図２３の実施機形態では、被遠隔操作装置６０は、遠隔操作装置８に備えられている計時部２３と同等の計時部５９を備えている。また、この被遠隔操作装置６０の記憶部３８には、遠隔操作装置８の記憶部２２に備えられている地域別月別シャッターカーテン標準設定移動開始時刻情報ファイル６１、シャッター装置設置場所地域識別情報ファイル６３及びシャッターカーテン手動設定移動開始時刻情報ファイル６４が備えられている。
【０２７３】
この被遠隔操作装置６０の計時部５９の現在日付、現在時刻の情報は、遠隔操作装置８の計時部２３の現在日付、現在時刻の情報と同期がとられており、被遠隔操作装置６０の記憶部３８の地域別月別シャッターカーテン標準設定移動開始時刻情報ファイル６１、シャッター装置設置場所地域識別情報ファイル６３及びシャッターカーテン手動設定移動開始時刻情報ファイル６４の情報も、遠隔操作装置８の記憶部２２の地域別月別シャッターカーテン標準設定移動開始時刻情報ファイル６１、シャッター装置設置場所地域識別情報ファイル６３及びシャッターカーテン手動設定移動開始時刻情報ファイル６４の情報と同期がとられている。
【０２７４】
すなわち、遠隔操作装置８の操作により設定された計時部２３の現在日付、現在時刻の情報は、被遠隔操作装置６０にも同時送信され、被遠隔操作装置６０の制御部３７は、送信されてきた情報を、この被遠隔操作装置６０の計時部５９に反映させる処理を実行するものである。これと同様に、遠隔操作装置８の操作により設定、記憶された記憶部２２の各ファイルの情報は、被遠隔操作装置６０にも同時送信され、被遠隔操作装置６０の制御部３７は、送信されてきた情報を、この被遠隔操作装置６０の記憶部３８の各ファイルに反映させる処理を実行するものである。
【０２７５】
そして、本実施形態では、被遠隔操作装置６０の制御部３７は、記憶部３８の地域別月別シャッターカーテン標準設定移動開始時刻情報ファイル６１やシャッターカーテン手動設定移動開始時刻情報ファイル６４に記憶されている移動開始時刻になっても、遠隔操作装置８から移動開始制御信号が送信されないと判定したとき、制御部３７は、制御装置１０の制御部３２へ移動開始制御信号を伝達する処理を実行する。
【０２７６】
このため、本実施形態に係るシャッターカーテン制御装置は、遠隔操作装置８を紛失したり、遠隔操作装置８と被遠隔操作装置６０との距離が、この遠隔操作装置８のアンテナ３０から放射された無線信号が被遠隔操作装置６０の受信部３６のアンテナ３０で受信できない状態（言い換えると、受信圏外）となる距離となっている場合等において、好適なものとなる。
【０２７７】
このように、本実施形態では、遠隔操作装置８は、無線通信により窓用シャッター装置を操作するものとなっている。
【０２７８】
なお、以上説明した各実施形態において、シャッターカーテン３の開き移動開始モードが第２モード又は第３モードである場合、標準設定又は手動設定の開き移動開始時刻になったときに、遠隔操作装置８の「あける」スイッチ２７Ａが操作されても、制御部２１は、「あける」スイッチ２７Ａが操作されたことは無視するようになっている。言い換えると、制御部２１は、「あける」スイッチ２７Ａの操作を無効化するようになっている。
【０２７９】
これと同様に、シャッターカーテン３の閉じ移動開始モードが第２モード又は第３モードである場合、標準設定又は手動設定の閉じ移動開始時刻になったときに、遠隔操作装置８の「しめる」スイッチ２７Ｃが操作されても、制御部２１は、「しめる」スイッチ２７Ｃが操作されたことは無視するようになっている。言い換えると、制御部２１は、「しめる」スイッチ２７Ｃの操作を無効化するようになっている。
【０２８０】
また、以上説明した各実施形態において、遠隔操作装置８の計時部２３は、設定した所定時間が経過したことを計時するタイマー機能も有するものとしてもよい。
【０２８１】
なお、以上説明した各実施形態では、閉じ移動中のシャッターカーテン３に障害物が当接したことを感知するための図示されない障害物感知装置が備えられている。この障害物感知装置により障害物が感知された場合には、この障害物感知装置から障害物感知信号が伝達された制御装置１０の制御部３２は、閉じ移動中のシャッターカーテン３を停止させる制御、さらには、シャッターカーテン３を反転上昇（開き移動）させる制御等を実行するようになっている。
【０２８２】
なお、以上説明した本実施形態では、遠隔操作装置８を保持するための保持体（言い換えると、ホルダー）は、前述した上向きに開口したポケット形状のホルダー９に限定されるものではない。
【０２８３】
例えば、遠隔操作装置８は、厚板状となっている保持体に対して係脱手段により係脱可能、すなわち、保持体に対して係止、離脱可能であって、保持体に対して取り付け、取り外し可能となるようにしてもよい。
【０２８４】
ここで、係脱手段とは、例えば、保持体の表面に設けられた係止部と、遠隔操作装置８の後側ケース片の裏面に設けられ、前記係止部が挿入係止される被係止部とからなり、これらの係止部と被係止部は、左右上下に複数個設けられており、前記係止部は、保持体の表面から突出した突起状のものであり、前記被係止部は、後側ケース片の裏面に設けられた孔部又は窪み部（穴部）であるものとしてもよい。
【０２８５】
なお、厚板状の保持体は、遠隔操作装置８が配設されるべき相手部材となっている前記住宅の室内の壁に止着されるようしてもよく、しなくてもよい。また、この保持体の上下寸法及び左右寸法は、遠隔操作装置８の上下寸法及び左右寸法と同じ又は略同じになっていてもよく、いなくてもよい。
【０２８６】
なお、上述した厚板状の保持体には、この保持体に対してヒンジを中心に開閉可能となっている蓋部材を取り付け、保持体に保持されているときの遠隔操作装置８の全部がこの蓋部材で覆われるものとしてもよい。
【０２８７】
なお、この場合においては、厚板状の保持体は、遠隔操作装置８が配設されるべき相手部材となっている前記住宅の室内の壁に止着されるようしてもよく、前記住宅の室外の壁に止着されるようしてもよい。
【０２８８】
なお、以上説明した各実施形態に係る無線式の遠隔操作装置８が有する機能を、スマートフォンやタブレット端末にインストールされるアプリに搭載し、このアプリがインストールされたスマートフォンやタブレット端末を無線式の遠隔操作装置と使用するようにしてもよい。
【産業上の利用可能性】
【０２８９】
本発明は、例えば、開口部である窓を開閉するための窓用シャッター装置、開口部である車庫の出入口を開閉するための車庫用シャッター装置、開口部である出入口を開閉するための出入口用シャッター装置を含む各種のシャッター装置、オーニング装置、開き戸装置、引戸装置、オーバーヘッドドア等の各種の開閉装置や、エアコン、テレビ、ＤＶＤレコーダー、ブルーレイディスクレコーダー等の家庭用電気機械器具等を、電気的に操作させることに利用することができる。
【符号の説明】
【０２９０】
３  開閉体であるシャッターカーテン
８  電気的操作装置である遠隔操作装置
２４  表示部である液晶ディスプレイ
２６Ａ  操作スイッチであって電源オンスイッチを兼ねる現在時刻設定スイッチである「現在時刻」スイッチ
２６Ｂ  操作スイッチであって電源オンスイッチを兼ねる動作開始時刻設定スイッチである「あけ時刻」スイッチ
２６Ｃ  操作スイッチであって電源オンスイッチを兼ねる動作開始時刻設定スイッチである「しめ時刻」スイッチ
２６Ｄ  操作スイッチであって電源オンスイッチを兼ねる「決定」スイッチ
２６Ｅ  操作スイッチであって電源オンスイッチを兼ねる「＋」スイッチ
２６Ｆ  操作スイッチであって電源オンスイッチを兼ねる「−」スイッチ
【図１】
0006517587.tif 000002
【図２】
0006517587.tif 000003
【図３】
0006517587.tif 000004
【図４】
0006517587.tif 000005
【図５】
0006517587.tif 000006
【図６】
0006517587.tif 000007
【図７】
0006517587.tif 000008
【図８】
0006517587.tif 000009
【図９】
0006517587.tif 000010
【図１０】
0006517587.tif 000011
【図１１】
0006517587.tif 000012
【図１２】
0006517587.tif 000013
【図１３】
0006517587.tif 000014
【図１４】
0006517587.tif 000015
【図１５】
0006517587.tif 000016
【図１６】
0006517587.tif 000017
【図１７】
0006517587.tif 000018
【図１８】
0006517587.tif 000019
【図１９】
0006517587.tif 000020
【図２０】
0006517587.tif 000021
【図２１】
0006517587.tif 000022
【図２２】
0006517587.tif 000023
【図２３】
0006517587.tif 000024